(57)【要約】【課題】一つのメガネ装置でマルチ２Ｄ、３Ｄ、マルチ３Ｄ映像を視聴することができ、マルチビューディスプレイの場合、各コンテンツに対するサウンドを聴取できるディスプレイ装置、メガネ装置、ディスプレイ方法及びメガネ装置の動作方法を提供すること。【解決手段】本発明のメガネ装置は、ディスプレイ装置から同時に出力された第１映像及び第２映像を位相遅延させる第１リターダと、第１映像及び第２映像を、第１リターダと異なる方向に位相遅延させる第２リターダと、電源の印加有無に応じて、光軸が回転された第１映像及び第２映像の偏光特性をそれぞれ変化させる第１シャッタグラス及び第２シャッタグラスと、第１映像及び第２映像を選択的に視聴するために、第１シャッタグラス及び第２シャッタグラスのそれぞれに電源を選択的に印加するように制御する制御部とを含む。【選択図】図４
2014135725.tif 000002
【特許請求の範囲】
【請求項１】
ディスプレイ装置から同時に出力された第１映像及び第２映像を位相遅延させる第１リターダと、
前記第１映像及び第２映像を、前記第１リターダと異なる方向に位相遅延させる第２リターダと、
電源の印加有無に応じて、光軸が回転された前記第１映像及び第２映像の偏光特性をそれぞれ変化させる第１シャッタグラス及び第２シャッタグラスと、
前記第１映像及び第２映像を選択的に視聴するために、前記第１シャッタグラス及び第２シャッタグラスのそれぞれに前記電源を選択的に印加するように制御する制御部と
を含むメガネ装置。
【請求項２】
前記第１シャッタグラス及び前記第２シャッタグラスのそれぞれは、
前記電源が印加されると、配向がスイッチングされ、スイッチングされた配向に応じて前記光軸が回転された第１映像及び第２映像を透過させる第１液晶セル（Ｌｉｑｕｉｄ  Ｃｒｙｓｔａｌ  Ｃｅｌｌ）及び第２液晶セルと、
前記第１液晶セル及び第２液晶セルを透過した映像をそれぞれ偏光させる第１偏光子及び第２偏光子と
を含むことを特徴とする請求項１に記載のメガネ装置。
【請求項３】
前記ディスプレイ装置からオーディオ信号を受信する通信部と、
前記受信されたオーディオ信号を出力するオーディオ出力部と
を更に含むことを特徴とする請求項１に記載のメガネ装置。
【請求項４】
前記ディスプレイ装置から同期化信号を受信する通信部を更に含み、
前記制御部は、
前記受信された同期化信号に応じて、前記第１シャッタグラス及び第２シャッタグラスのそれぞれに前記電源を選択的に印加するように制御することを特徴とする請求項１に記載のメガネ装置。
【請求項５】
前記ディスプレイ装置が複数の２Ｄコンテンツをディスプレイする場合、
前記制御部は、
前記複数の２Ｄコンテンツのうち、前記メガネ装置に対応する２Ｄコンテンツのオーディオ信号を受信し、前記オーディオ出力部を介して前記受信されたオーディオ信号を出力するように制御することを特徴とする請求項３に記載のメガネ装置。
【請求項６】
前記ディスプレイ装置が複数の２Ｄコンテンツをディスプレイする場合、
前記制御部は、
前記第１シャッタグラス及び前記第２シャッタグラスのうち、いずれか一方にのみ電源が供給されるように制御することを特徴とする請求項１に記載のメガネ装置。
【請求項７】
前記ディスプレイ装置が一つの３Ｄコンテンツをディスプレイする場合、
前記制御部は、
前記第１シャッタグラス及び前記第２シャッタグラスの両方に電源を供給するか、供給しないように制御することを特徴とする請求項１に記載のメガネ装置。
【請求項８】
前記ディスプレイ装置が複数の３Ｄコンテンツをディスプレイする場合、
前記制御部は、前記受信された同期化信号に応じて、
前記第１シャッタグラス及び第２シャッタグラスに電源を印加する第１動作及び第２動作と、
前記第１シャッタグラスに電源を印加することなく、前記第２シャッタグラスに電源を印加する第３動作と、
前記第１シャッタグラスに電源を印加し、前記第２シャッタグラスに電源を印加しない第４動作とを順次に行うように制御することを特徴とする請求項４に記載のメガネ装置。
【請求項９】
前記ディスプレイ装置が複数の３Ｄコンテンツをディスプレイする場合、
前記制御部は、前記受信された同期化信号に応じて、
前記第１シャッタグラス及び第２シャッタグラスに電源を印加する第１動作と、
前記第１シャッタグラス及び第２シャッタグラスに電源を印加しない第２動作と、
前記第１シャッタグラスに電源を印加することなく、前記第２シャッタグラスに電源を印加する第３動作及び第４動作とを順次に行うように制御することを特徴とする請求項４に記載のメガネ装置。
【請求項１０】
前記ディスプレイ装置が複数の３Ｄコンテンツをディスプレイする場合、
前記制御部は、
前記複数の３Ｄコンテンツのうち、前記メガネ装置に対応する３Ｄコンテンツのオーディオ信号を受信し、前記オーディオ出力部を介して前記受信されたオーディオ信号を出力するように制御することを特徴とする請求項３に記載のメガネ装置。
【請求項１１】
ユーザ入力を受信する入力部を更に含み、
前記制御部は、
前記受信されたユーザ入力に応じて、前記ディスプレイ装置のディスプレイモードを識別し、前記識別されたディスプレイモードに応じて、同期化信号及びオーディオ信号のうち、少なくとも一方を受信するように制御し、
前記第１シャッタグラス及び第２シャッタグラスのそれぞれに前記電源を選択的に印加するように制御することを特徴とする請求項１に記載のメガネ装置。
【請求項１２】
メガネ装置の動作方法において、
ディスプレイ装置から出力された第１映像及び第２映像を、それぞれ異なる方向に光軸を回転させるステップと、
第１シャッタグラス及び第２シャッタグラスに電源を選択的に印加し、前記光軸が回転された第１映像及び第２映像の偏光特性をそれぞれ変化させるステップと
を含むメガネ装置の動作方法。
【請求項１３】
前記ディスプレイ装置からオーディオ信号を受信するステップと、
前記受信されたオーディオ信号を出力するステップと
を更に含むことを特徴とする請求項１２に記載のメガネ装置の動作方法。
【発明の詳細な説明】
【技術分野】
【０００１】
本発明は、パターンリターダ方式のディスプレイ装置に関し、より詳細には、パターンリターダ方式のディスプレイ装置とメガネ装置とを結合してマルチビュー、３Ｄ映像をディスプレイすることができるディスプレイ装置、メガネ装置、ディスプレイ方法及びメガネ装置の動作方法に関する。
【背景技術】
【０００２】
電子技術の発達により、多様な電子機器が開発及び普及されている。代表的な家電製品としては、テレビのようなディスプレイ装置が使用されている。
【０００３】
ディスプレイ装置が高性能化するにつれ、ディスプレイ装置でディスプレイするコンテンツの種類も多様に増大するようになった。特に、最近は、３Ｄコンテンツまで視聴できる立体ディスプレイシステムが開発されて、普及されている。
【０００４】
立体ディスプレイ装置は、一般家庭で使用される３Ｄテレビだけでなく、各種モニタ、携帯電話、ＰＤＡ、パソコン、セットトップパソコン、タブレットパソコン、デジタルフォトフレーム、キオスク端末等のような多様なディスプレイ装置で実現されてよい。なお、３Ｄディスプレイ技術は、家庭内における使用だけでなく、科学、医薬、デザイン、教育、広告、コンピュータゲーム等のように、３Ｄイメージングが必要な多様な分野で活用されてよい。
【０００５】
立体ディスプレイシステムは、大きく、メガネなしに立体映像を視聴できる非メガネ式システムと、メガネを着用して視聴しなければならないメガネ式システムとに分類することができる。
【０００６】
非メガネ式システムは、オートステレオスコーピ（ａｕｔｏｓｔｅｒｅｏｓｃｏｐｙ）システムともいう。非メガネ方式の３Ｄディスプレイ装置は、空間的にシフトされた多時点映像をディスプレイしつつ、パララクスバリア（Ｐａｒａｌｌａｘ  Ｂａｒｒｉｅｒ）技術またはレンチキュラー（Ｌｅｎｔｉｃｕｌａｒ）レンズを用いて、視聴者の左眼および右眼に異なる時点の映像に該当する光が投射されるようにし、ユーザが立体感を感じることができるようにする。
【０００７】
非メガネ式システムは、メガネなしに３Ｄイメージを視聴することができることから、製作費用が削減できるという長所があるものの、完全な立体感を提供することができず、視域（視聴領域）が限定されるという短所があった。
【０００８】
メガネ式システムは、ディスプレイ装置の視聴のための別途のメガネ装置が備えられる。メガネ装置は、アクティブ（ａｃｔｉｖｅ）メガネ装置とパッシブ（ｐａｓｓｉｖｅ）メガネ装置とに区別される。
【０００９】
一般的に、アクティブメガネ装置が使用される場合、ディスプレイ装置は左眼イメージ及び右眼イメージを交互に出力し、ユーザが着用したアクティブメガネ装置は、ディスプレイ装置の左眼イメージ及び右眼イメージの出力タイミングに同期化し、左右シャッタグラスをそれぞれ交互に開閉させる。ユーザは、左眼を通じて左眼イメージのみを視聴し、右眼を通じて右眼イメージのみを視聴し、左眼イメージと右眼イメージとのデプス（ｄｅｐｔｈ）差によって立体感を感じることができる。
【００１０】
一方で、パッシブメガネ装置が使用される場合、ディスプレイ装置は、ディスプレイ映像の領域別に互いに異なる光軸を有する偏光パネルを備えることにより、偏光を異なるように設定する方法がある。このような方式をパターンリターダ方式とし、この場合、偏光パネルはパターンリターダを含む。
【００１１】
このとき、パッシブメガネ装置は、パターンリターダの特定パターン領域の映像のみを透過させる波長遅延板（ｄｅｌａｙ  ｐｌａｔｅ）を備えてよい。例えば、パッシブメガネ装置の左眼レンズは、第１パターン領域と反対方向の第２波長遅延板を備え、右眼レンズは、第２パターン領域と反対方向の第２波長遅延板を備えてよい。第１波長遅延板は、第１パターン領域で波長が遅延された映像波長の位相を反対方向に遅延させて映像を補償する。一方、第１波長遅延板は、第２パターン領域で波長が遅延された映像波長の位相を同一方向にもう一度遅延させるため、偏光の光軸を回転させる。左眼レンズは、第１波長遅延板以外に特定の光軸の偏光フィルタを更に含み、前記偏光フィルタは、第１波長遅延板を通過した映像のうち、偏光フィルタと垂直の光軸を有する映像を遮断する。結果的に、左眼レンズは第１パターン領域の映像のみを透過させる。
【００１２】
同様に、第２波長遅延板は、第２パターン領域で波長が遅延された映像波長の位相を反対方向に遅延させて映像を補償する。一方、第２波長遅延板は、第１パターン領域で波長が遅延された映像波長の位相を同一方向にもう一度遅延させるため、偏光の光軸を回転させる。右眼レンズは、第２波長遅延板以外に特定の光軸の偏光フィルタを更に備え、前記偏光フィルタは、第２波長遅延板を通過した映像のうち、偏光フィルタと垂直の光軸を有する映像を遮断する。結果的に、右眼レンズは第２パターン領域の映像のみを透過させる。
【００１３】
結局、パッシブメガネ装置を着用したユーザは、左眼を通じて左眼イメージのみを視聴し、右眼を通じて右眼イメージのみを視聴し、左眼イメージと右眼イメージとのデプス差によって立体感を感じることができる。
【００１４】
上述のメガネ式立体映像ディスプレイシステムは、複数の人が複数のコンテンツをそれぞれ視聴できるマルチビュー環境にも利用されてよい。
【００１５】
上述のアクティブシャッタグラス方式がマルチビューシステムに利用される場合、ディスプレイ装置は、第１コンテンツの映像フレームと第２コンテンツの映像フレームとを交互に出力する。ユーザが着用したメガネ装置は、ディスプレイ装置の第１コンテンツの映像フレーム及び第２コンテンツの映像フレームの出力タイミングに同期化し、左右シャッタグラスを同時にオン（ｏｎ）またはオフ（ｏｆｆ）させる。
【００１６】
例えば、第１ユーザが第１コンテンツを視聴する場合、第１ユーザが着用したメガネ装置は、ディスプレイ装置が第１コンテンツの映像フレームをディスプレイするタイミングで左右シャッタグラスを同時にオンさせ、ディスプレイ装置が第２コンテンツの映像フレームをディスプレイするタイミングで左右シャッタグラスを同時にオフさせる。一方で、第２ユーザが第２コンテンツを視聴する場合、第２ユーザが着用したメガネ装置は、ディスプレイ装置が第１コンテンツの映像フレームをディスプレイするタイミングで左右シャッタグラスを同時にオフさせ、ディスプレイ装置が第２コンテンツの映像フレームをディスプレイするタイミングでは左右シャッタグラスを同時にオンさせる。シャッタグラスのオン／オフが早い時間に行われ、視聴していない映像は遮断させる間にも視聴した映像の残像が網膜に残るようになるため、ユーザは自分が視聴する映像が自然とディスプレイされるものと認知する。
【００１７】
パッシブメガネ装置も、マルチビューシステムに利用されてよい。このとき、第１パッシブメガネ装置の左眼レンズ及び右眼レンズは、全て第１パターン領域と反対方向の第１波長遅延板を備えてよい。第１波長遅延板は、第１パターン領域で波長が遅延された映像波長の位相を反対方向に遅延させて映像を補償する。一方、第１波長遅延板は、第２パターン領域で波長が遅延された映像波長の位相を同一方向にもう一度遅延させるため、偏光の光軸を回転させる。左眼レンズと右眼レンズとは、第１波長遅延板以外に特定の光軸の偏光フィルタを更に備え、前記偏光フィルタは、第１波長遅延板を通過した映像のうち、偏光フィルタと垂直の光軸を有する映像を遮断する。結果的に、第１パッシブメガネ装置は、第１パターン領域の映像のみを透過させる。
【００１８】
一方、第２パッシブメガネ装置の左眼レンズ及び右眼レンズは、全て第２パターン領域と反対方向の第２波長遅延板を備え、第２パターン領域で波長が遅延された映像波長の位相を反対方向に遅延させて映像を補償する。一方、第２波長遅延板は、第１パターン領域で波長が遅延された映像波長の位相を同一方向にもう一度遅延させるため、偏光の光軸を回転させる。第２パッシブメガネ装置の左眼レンズと右眼レンズとは、第２波長遅延板以外に特定の光軸の偏光フィルタを更に備え、前記偏光フィルタは、第２波長遅延板を通過した映像のうち、偏光フィルタと垂直の光軸を有する映像を遮断する。結果的に、第２パッシブメガネ装置は、第２パターン領域の映像のみを透過させる。
【００１９】
パッシブメガネ装置は、３Ｄメガネを視聴する際と、マルチビュー映像を視聴する際とで、異なる方向の波長遅延板または異なる方向の偏光フィルタを有するレンズを必要とする。すなわち、３Ｄ映像の場合、左眼と右眼との偏光性質が異なるのに対し、マルチ２Ｄ映像は、左眼と右眼との偏光性質は同様であり、コンテンツ別に異なるため、一つのパッシブメガネ装置に３Ｄ映像とマルチビュー映像とを全て視聴が不可能である。結果的に、コンテンツ種類に応じてメガネ装置を取り替えなければならないという不都合がある。
【００２０】
なお、マルチビューを視聴する場合、別途のオーディオ受信及び出力手段がない以上、互いに異なるコンテンツを視聴する複数の視聴者はディスプレイ装置から出力される同一のサウンドを聞かざるを得ないという問題があった。
【００２１】
更に、パターンリターダ方式のディスプレイ装置でメガネ装置を通じて複数の互いに異なる３Ｄコンテンツを複数のユーザが視聴できる方式が求められる。
【先行技術文献】
【特許文献】
【００２２】
【特許文献１】US20120081623
【特許文献２】US20080129900
【発明の概要】
【発明が解決しようとする課題】
【００２３】
そこで、本発明は、上記問題に鑑みてなされたものであり、本発明の目的とするところは、一つのメガネ装置でマルチ２Ｄ、３Ｄ、マルチ３Ｄ映像を視聴することができ、マルチビューディスプレイの場合、各コンテンツに対するサウンドを聴取できるディスプレイ装置、メガネ装置、ディスプレイ方法及びメガネ装置の動作方法を提供することにある。
【課題を解決するための手段】
【００２４】
以上のような目的を達成するための本発明の一実施形態に係るメガネ装置は、パターンリターダディスプレイ装置から出力された第１映像及び第２映像をそれぞれ異なる方向に光軸を回転させる第１リターダと、第２リターダと、電源の印加有無に応じて、前記光軸が回転された第１映像及び前記第２映像の偏光特性をそれぞれ変化させる第１シャッタグラス及び第２シャッタグラスと、前記第１映像及び第２映像を選択的に視聴するために、前記第１シャッタグラス及び第２シャッタグラスのそれぞれに前記電源を選択的に印加するように制御する制御部とを含む。
【００２５】
このとき、前記第１シャッタグラス及び前記第２シャッタグラスのそれぞれは、前記電源が印加されると、配向がスイッチングされ、スイッチングされた配向に応じて前記光軸が回転された第１映像及び第２映像をそのまま透過させる第１液晶セル（Ｌｉｑｕｉｄ  Ｃｒｙｓｔａｌ  Ｃｅｌｌ）及び第２液晶セルと、前記第１液晶セル及び第２液晶セルを透過した映像をそれぞれ偏光させる第１偏光子及び第２偏光子とを含んでよい。
【００２６】
なお、前記メガネ装置は、前記パターンリターダディスプレイ装置からオーディオ信号を受信する通信部と、前記受信されたオーディオ信号を出力するオーディオ出力部とを更に含んでよい。
【００２７】
なお、前記メガネ装置は、前記パターンリターダディスプレイ装置から同期化信号を受信する通信部を更に含み、前記制御部は、前記受信された同期化信号に応じて、前記第１シャッタグラス及び第２シャッタグラスのそれぞれに前記電源を選択的に印加するように制御してよい。
【００２８】
このとき、前記パターンリターダディスプレイ装置が複数の２Ｄコンテンツをディスプレイする場合、前記制御部は、前記複数の２Ｄコンテンツのうち、前記メガネ装置に対応する２Ｄコンテンツのオーディオ信号を受信し、前記オーディオ出力部を介して前記受信されたオーディオ信号を出力するように制御してよい。
【００２９】
なお、前記パターンリターダディスプレイ装置が複数の２Ｄコンテンツをディスプレイする場合、前記制御部は、前記第１シャッタグラス及び前記第２シャッタグラスのうち、いずれか一方にのみ電源が供給されるように制御してよい。
【００３０】
なお、前記パターンリターダディスプレイ装置が一つの３Ｄコンテンツをディスプレイする場合、前記制御部は、前記第１シャッタグラス及び前記第２シャッタグラスの両方に電源を供給するか、供給しないように制御してよい。
【００３１】
なお、前記パターンリターダディスプレイ装置が複数の３Ｄコンテンツをディスプレイする場合、前記制御部は、前記受信された同期化信号に応じて、前記第１シャッタグラス及び第２シャッタグラスに電源を印加する第１動作及び第２動作と、前記第１シャッタグラスに電源を印加することなく、前記第２シャッタグラスに電源を印加する第３動作と、前記第１シャッタグラスに電源を印加し、前記第２シャッタグラスに電源を印加しない第４動作とを順次に行うように制御してよい。
【００３２】
なお、前記パターンリターダディスプレイ装置が複数の３Ｄコンテンツをディスプレイする場合、前記制御部は、前記受信された同期化信号に応じて、前記第１シャッタグラス及び第２シャッタグラスに電源を印加する第１動作と、前記第１シャッタグラス及び第２シャッタグラスに電源を印加しない第２動作と、前記第１シャッタグラスに電源を印加することなく、前記第２シャッタグラスに電源を印加する第３動作及び第４動作とを順次に行うように制御してよい。
【００３３】
なお、前記パターンリターダディスプレイ装置が複数の３Ｄコンテンツをディスプレイする場合、前記制御部は、前記複数の３Ｄコンテンツのうち、前記メガネ装置に対応する３Ｄコンテンツのオーディオ信号を受信し、前記オーディオ出力部を介して前記受信されたオーディオ信号を出力するように制御してよい。
【００３４】
前記メガネ装置は、ユーザ入力を受信する入力部を更に含み、前記制御部は、前記受信されたユーザ入力に応じて、前記パターンリターダディスプレイ装置のディスプレイモードを識別し、前記識別されたディスプレイモードに応じて、同期化信号及びオーディオ信号のうち、少なくとも一方を受信するように制御し、前記第１シャッタグラス及び第２シャッタグラスのそれぞれに前記電源を選択的に印加するように制御してよい。
【発明の効果】
【００３５】
以上説明したように、本発明によれば、一つのメガネ装置でマルチ２Ｄ、３Ｄ、マルチ３Ｄ映像を視聴することができ、マルチビューディスプレイの場合、各コンテンツに対するサウンドを聴取することができる。
【図面の簡単な説明】
【００３６】
【図１】本発明の一実施形態に係るディスプレイシステムの模式図である。
【図２】本発明の一実施形態に係るディスプレイ装置の構成を示すブロック図でる。
【図３】ディスプレイ装置のスクリーンを示す模式図である。
【図４】本発明の別の実施形態に係るディスプレイ装置の構成を示すブロック図である。
【図５】本発明の一実施形態に係るメガネ装置の構成を示すブロック図である。
【図６】メガネ装置の構成及び動作を示す模式図である。
【図７】シングル３Ｄモードで本発明の一実施形態に係るディスプレイ動作を示す図である。
【図８】マルチ２Ｄモードで本発明の一実施形態に係るディスプレイ動作を示す図である。
【図９】本発明の一実施形態に係る信号処理部の構成を示すブロック図である。
【図１０】それぞれマルチ３Ｄモードで本発明の一実施形態に係る第１ないし第４映像フレームのディスプレイ動作によるメガネ装置の動作を示す図である。
【図１１】それぞれマルチ３Ｄモードで本発明の一実施形態に係る第１ないし第４映像フレームのディスプレイ動作によるメガネ装置の動作を示す図である。
【図１２】それぞれマルチ３Ｄモードで本発明の一実施形態に係る第１ないし第４映像フレームのディスプレイ動作によるメガネ装置の動作を示す図である。
【図１３】それぞれマルチ３Ｄモードで本発明の一実施形態に係る第１ないし第４映像フレームのディスプレイ動作によるメガネ装置の動作を示す図である。
【図１４】液晶セルの駆動電圧を示す図である。
【図１５】それぞれマルチ２Ｄモードで本発明の別の実施形態に係る第１ないし第４映像フレームのディスプレイ動作によるメガネ装置の動作を示す図である。
【図１６】それぞれマルチ２Ｄモードで本発明の別の実施形態に係る第１ないし第４映像フレームのディスプレイ動作によるメガネ装置の動作を示す図である。
【図１７】それぞれマルチ２Ｄモードで本発明の別の実施形態に係る第１ないし第４映像フレームのディスプレイ動作によるメガネ装置の動作を示す図である。
【図１８】それぞれマルチ２Ｄモードで本発明の別の実施形態に係る第１ないし第４映像フレームのディスプレイ動作によるメガネ装置の動作を示す図である。
【図１９】映像データがパターンリターダのＯｄｄ／Ｅｖｅｎラインで交互に変化する場合のメガネ装置の動作を説明する図である。
【図２０】映像データがパターンリターダのＯｄｄラインにのみ変化する場合のメガネ装置の動作を説明する図である。
【図２１】ブルートゥース技術を用いて、メガネ装置に同期化信号を伝送する方法を示す図である。
【図２２】本発明の一実施形態に係るメガネ装置の外観構成を示す図である。
【図２３】本発明の多様な実施形態に係るディスプレイ方法のフローチャートである。
【図２４】本発明の多様な実施形態に係るメガネ装置の動作方法のフローチャートである。
【発明を実施するための形態】
【００３７】
以下に添付図面を参照しながら、本発明の好適な実施形態について詳細に説明する。
【００３８】
＜ディスプレイシステム＞
図１は、本発明の一実施形態に係るディスプレイシステムの模式図である。
【００３９】
図１を参照すると、本発明の一実施形態に係るディスプレイシステム１０００は、ディスプレイ装置１００と、一つ以上のメガネ装置２００−１、２００−２を含む。
【００４０】
ディスプレイ装置１００は、ディスプレイモードに応じて、２Ｄ（２−Ｄｉｍｅｎｓｉｏｎａｌ）コンテンツまたは３Ｄ（３−Ｄｉｍｅｎｓｉｏｎａｌ）コンテンツをディスプレイする。
【００４１】
ここで、コンテンツは、ＶｏＤ（Ｖｉｄｅｏ  Ｏｎ  Ｄｅｍａｎｄ）コンテンツ、プレミアムＶｏＤコンテンツ、放送コンテンツ、インターネットコンテンツ、ローカルファイル、ＤＬＮＡネットワークで接続された外部コンテンツ等、既に製作されたコンテンツであってよい。しかし、それに限定されるものではなく、録画放送コンテンツ、リアルタイム放送コンテンツ等も可能であってよい。
【００４２】
３Ｄコンテンツは、同一の客体（ｏｂｊｅｃｔ）を互いに異なる観点から表現した多時点映像を用いてユーザが立体感を感じることができるようにするコンテンツを意味する。それに対し、２Ｄコンテンツは一つの時点で表現された映像フレームで構成されたコンテンツを意味する。３Ｄコンテンツは、立体感の程度を示すデプス（ｄｅｐｔｈ）情報を含む。
【００４３】
ディスプレイ装置１００は、２Ｄコンテンツの映像フレームをディスプレイ部に表示する２Ｄモード、または、３Ｄコンテンツの映像フレームをディスプレイ部に表示する３Ｄモードで動作することができる。
【００４４】
２Ｄモードは、一つの２Ｄコンテンツの映像フレームを順次に出力するシングル２Ｄモード及び複数の２Ｄコンテンツの映像フレームを出力するマルチ２Ｄモードのうち、いずれか一方であってよい。
【００４５】
ここで、順次に出力するという意味は、コンテンツを構成する映像フレームを一定時間間隔を置いて順次にディスプレイ部に表示することを意味する。例えば、２Ｄコンテンツの映像フレームＡ、Ｂ、Ｃ、Ｄ、…、Ｚの場合、一定時間間隔を置いてＡ、Ｂ、Ｃ、Ｄ、…、Ｚをディスプレイする場合である。
【００４６】
図１に示すように、ディスプレイ装置１００は、マルチ２Ｄモード（ＤＶ）、３Ｄモード（３Ｄ）、３Ｄマルチモード（ＤＶ／３Ｄ）で相互切り替わってよい。図に示していないが、シングル２Ｄモードも可能である。このとき、後述のように、ディスプレイモードに応じてメガネ装置に同期化信号及びオーディオ信号のうち、少なくとも一方を伝送する。
【００４７】
本明細書において、ディスプレイ装置１００は、一つ或いはそれ以上のディスプレイを備え、アプリケーションを実行したり、コンテンツを表示できるように構成される装置として、例えば、デジタルテレビ（Ｄｉｇｉｔａｌ  ｔｅｌｅｖｉｓｉｏｎ）、タブレット（Ｔａｂｌｅｔ）パーソナルコンピュータ（Ｐｅｒｓｏｎａｌ  Ｃｏｍｐｕｔｅｒ：ＰＣ）、携帯用マルチメディア再生装置（Ｐｏｒｔａｂｌｅ  Ｍｕｌｔｉｍｅｄｉａ  Ｐｌａｙｅｒ：ＰＭＰ）、パーソナル情報端末機（Ｐｅｒｓｏｎａｌ  Ｄｉｇｉｔａｌ  Ａｓｓｉｓｔａｎｔ：ＰＤＡ）、スマートフォン（Ｓｍａｒｔ  Ｐｈｏｎｅ）、携帯電話、デジタルフォトフレーム、デジタルサイネージ（Ｄｉｇｉｔａｌ  Ｓｉｇｎａｇｅ）及びキオスク端末のうち、少なくとも一つで実現されてよい。以下では、一実施形態で、デジタルテレビについて説明する。
【００４８】
＜ディスプレイ装置の構成及び動作＞
【００４９】
まず、ディスプレイ装置１００の構成及び動作について説明する。
【００５０】
図２は、本発明の一実施形態に係るディスプレイ装置１００の構成を示すブロック図でる。
【００５１】
図２を参照すると、本発明の一実施形態に係るディスプレイ装置１００は、信号処理部１１０と、ディスプレイ部１２０と、パターンリターダ部１３０と、通信部１４０及び制御部１５０を含む。
【００５２】
信号処理部１１０は、２Ｄ（２−Ｄｉｍｅｎｓｉｏｎａｌ）コンテンツまたは３Ｄ（３−Ｄｉｍｅｎｓｉｏｎａｌ）コンテンツの映像フレームを構成する役割を含み、受信されたコンテンツに対する多様な信号処理を行う。具体的に、映像コンテンツからオーディオデータとビデオデータとを抽出し、オーディオデータ及びビデオデータに対する信号を処理し、映像フレーム及び対応するオーディオ信号を構成する。
【００５３】
ディスプレイ部１２０は、前記信号処理部１１０で構成された映像フレームを出力する。図示はしていないが、信号処理部１１０から出力された映像フレームがマルチプレクサ部（図示せず）を介してマルチプレキシングし、設定されたディスプレイモードに応じて、ディスプレイ部１２０は各コンテンツの映像フレームを異なるように配置して出力する。
【００５４】
マルチ２Ｄモードで、ディスプレイ部１２０はスクリーンの領域別に互いに異なるコンテンツをディスプレイすることができる。例えば、スクリーンの奇数番目の水平ラインはコンテンツ１の映像を、スクリーンの偶数番目の水平ラインはコンテンツ２の映像を出力することができる。それに対し、スクリーンの奇数番目の垂直ラインにはコンテンツ２の映像を、スクリーンの偶数番目の垂直ラインにはコンテンツ１の映像をディスプレイすることもできる。後述のように、パターンリターダ部１３０は、前記スクリーンの領域別に偏光の性質を異なるように変形させることで、互いに異なるメガネ装置で互いに異なるコンテンツの映像を視聴することができるようにする。
【００５５】
３Ｄモードで、ディスプレイ装置１２０はスクリーンの領域別に左眼映像と右眼映像とをディスプレイすることができる。例えば、スクリーンの奇数番目の水平ラインはコンテンツの左眼映像を、スクリーンの偶数番目の水平ラインはコンテンツの右眼映像を出力することができる。それに対し、スクリーンの奇数番目の垂直ラインにはコンテンツの右眼映像を、スクリーンの偶数番目の垂直ラインにはコンテンツの左眼映像をディスプレイすることもできる。後述のように、パターンリターダ部１３０は、前記スクリーンの領域別に偏光の性質を異なるように変形させることで、メガネ装置の左眼レンズと右眼レンズとで、それぞれ左眼映像と右眼映像とを透過することができるようにする。
【００５６】
パターンリターダ部１３０は、前記出力された映像フレームを領域別に異なるように偏光させる。図に示していないが、ディスプレイ装置１００は、偏光部材を備えてディスプレイされる映像を特定方向に線形偏光させる。線形偏光された光は、パターンリターダ部１３０を通過して複屈折されつつ位相差が発生するため、円形偏光に変形される。本明細書の実施形態において、最初にディスプレイ装置１００が映像を水平方向に偏光させて出力するものとして仮定しているが、本発明はそれに限定されず、別の方向に偏光する実施形態の場合を含む。
【００５７】
パターンリターダ部１３０は、ディスプレイ装置１００のディスプレイパネル（図示せず）に合着される。一実施形態において、パターンリターダ部１３０は、ディスプレイパネル（図示せず）のピクセルアレイで奇数番目のラインと対向する第１パターンと、ディスプレイパネル（図示せず）のピクセルアレイで偶数番目のラインと対向する第２パターンとを含む。上述のように、この場合、第１パターンの光軸と第２パターンの光軸とは異なる。例えば、第１パターンと第２パターンのそれぞれは、入射光の位相を−１／４波長、１／４波長だけ遅延させることができる。この場合、線形偏光された光は、互いに方向の異なる円偏光に変形される。例えば、パターンリターダ部１３０は、第１パターンはピクセルアレイの奇数番目のラインに表示される映像の光を左円偏光に変換し、パターンリターダ部１３０の第２パターンは、ピクセルアレイの偶数表示ラインに表示される映像の光を右円偏光に変換することができるようになる。
【００５８】
このとき、一つのメガネ装置は、入射光の位相を１／４波長または−１／４波長遅延させるリターダフィルムと、１／２波長または−１／２波長遅延させる液晶セル、偏光板を含む。メガネ装置は、前記構成を通じて奇数番目のラインの映像または偶数番目のラインの映像のみを透過させる。詳細な内容は後述する。
【００５９】
図３は、ディスプレイ装置１００のスクリーンを示す模式図である。
【００６０】
図３の（ａ）及び上述の実施形態で説明しているように、パターンリターダ部１３０は、水平ピクセルライン別に位相遅延を異なるようにすることができるが、必ずしもパターンリターダ部１３０の各パターン領域を水平ライン別に分けなければならないというわけではない。すなわち、図３（ｂ）に示すように、パターンリターダ部１３０は、垂直ライン別に奇数番目のラインと対向する第３パターン１３３と、偶数番目のラインと対向する第４パターン１３４とを含んでよい。
【００６１】
通信部１４０は、前記偏光された映像フレームを視聴できるメガネ装置２００と通信を行う。第１に、通信部１４０は、ユーザ命令を受信する。ユーザ命令は、ディスプレイ装置１００を制御するための各種命令を意味し、ディスプレイ装置１００のディスプレイモード切り替え命令を含む。ユーザ命令は、遠隔制御装置（以下、リモコンという）またはメガネ装置２００から生成されて伝送されてよい。第２に、通信部１４０は、メガネ装置２００とペアリングを行い、同期化信号を含む伝送ストリームをメガネ装置２００に伝送してメガネ装置２００と同期化を行う。第３に、通信部１４０は、オーディオ信号をメガネ装置２００に伝送する。
【００６２】
以下では、ディスプレイモードを切り替えるためのユーザ命令について簡単に説明する。
【００６３】
本発明において、ディスプレイモードは、一つの２Ｄコンテンツをディスプレイする２Ｄシングルビューモード、複数の２Ｄコンテンツをディスプレイする２Ｄマルチビューモード、一つの３Ｄコンテンツをディスプレイする３Ｄシングルビューモード及び複数の３Ｄコンテンツをディスプレイする３Ｄマルチビューモードのうち、いずれか一つを意味する。
【００６４】
ユーザは、リモコン（図示せず）のモード切り替えボタンまたはメガネ装置２００の入力部（図２２を参照）を介してディスプレイモード設定が可能である。後者については、メガネ装置２００に関する説明において述べるとし、ここでは、リモコンを通じたモード切り替え入力について説明する。
【００６５】
ユーザが、リモコン（図示せず）のモード切り替えボタン（図示せず）を押圧する場合、ディスプレイモード切り替え命令が発生し、通信手段（図示せず）を介してディスプレイ装置１００に伝送される。ディスプレイ装置１００の制御部１５０は、受信されたモード切り替え命令に応じてディスプレイモードを識別する。制御部１５０は、現在のディスプレイモードと、受信されたモード切り替え命令に応じたディスプレイモードとが異なる場合、受信されたディスプレイモードに応じてディスプレイモードを切り替える。すなわち、信号処理部１１０が切り替わったディスプレイモードに応じて、映像フレームを構成するように制御する。そして、切り替わったディスプレイモードがマルチ２Ｄモードまたはマルチ３Ｄモードである場合、前記同期化信号及び前記オーディオ信号のうち、少なくとも一方を生成し、通信部１４０を介してメガネ装置２００に伝送する。
【００６６】
一実施形態として、通信部１４０は、ブルートゥース通信モジュールで実現可能である。それにより、通信部１４０は、同期化信号及びオーディオ信号のうち、少なくとも一方が含まれるようにブルートゥース通信規格による伝送ストリームを生成し、メガネ装置２００に伝送することができる。ディスプレイモードが、マルチ２Ｄモード、マルチ３Ｄモードの場合、通信部１４０は、制御部１５０の制御に応じて、各コンテンツに対するオーディオ信号を対応するメガネ装置２００に伝送することができる。マルチ３Ｄモードの場合、フレームレート変換により、メガネ装置２００の動作が変化するため、同期化信号を伝送する。後述する図１５ないし図１８の実施形態においては、マルチ２Ｄモードの場合も、メガネ装置２００の動作が変化するため、同期化信号をメガネ装置２００に伝送するべきである。
【００６７】
制御部１５０は、ディスプレイ装置１００の全般の動作を制御する。具体的に、制御部１５０は、信号処理部１１０と、マルチプレクサ部（図示せず）と、ディスプレイ部１２０と、通信部１４０のそれぞれを制御し、対応する動作を行うように各構成を制御することができる。特に、ディスプレイモードに応じて、前記メガネ装置に同期化信号及びオーディオ信号のうち、少なくとも一方を伝送する。具体的に、ディスプレイモードが、マルチ２Ｄモードまたはマルチ３Ｄモードの場合、制御部１５０は各コンテンツに対する同期化信号及びオーディオ信号のうち、少なくとも一方を対応するメガネ装置２００に伝送することができる。一方、シングル３Ｄモードの場合、フレームレートが変化せず、メガネ装置２００の左眼シャッタグラスと右眼シャッタグラスとが固定された状態で視聴が行われるため、別途の同期化信号やオーディオ信号の伝送は不要である。
【００６８】
制御部１５０は、ハードウェアの観点からマイクロプロセッサ、ＩＣチップまたはＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｏｒ  Ｕｎｉｔ）であってよく、ソフトウェアの観点から、ＯＳ、アプリケーションを含む。システムクロックに応じてディスプレイ装置１００の動作のための制御命令がメモリで読み取られ、読み取られた制御命令に応じて電気信号を発生させてハードウェアの各構成要素を動作させる。
【００６９】
図４は、本発明の別の実施形態に係るディスプレイ装置１００’の構成を示すブロック図である。
【００７０】
図４を参照すると、本発明の別の実施形態に係るディスプレイ装置１００’は、上述の構成の他に、受信部１６０と、同期化信号生成部１７０及びオーディオ出力部１８０を更に含む。
【００７１】
受信部１６０は、複数個で具備されてよい。特に、マルチビューモード（マルチ２Ｄモード、マルチ３Ｄモード）や、３Ｄモードの場合、互いに異なるコンテンツまたは左眼映像、右眼映像が互いに異なるソースから受信されてよく、この場合、複数の受信部は互いに異なるソースからデータを受信する。
【００７２】
受信部１６０は、放送ネットワークを用いて放送番組コンテンツを伝送する放送局またはインターネットを用いて、コンテンツファイルを伝送するウェブサーバからコンテンツを受信することができる。なお、ディスプレイ装置１００’内に設けられたり、ディスプレイ装置１００’に接続された各種記録媒体再生装置からコンテンツを受信することもできる。ここで、記録媒体装置とは、ＣＤ、ＤＶＤ、ハードディスク、ブルーレイディスク、メモリカード、ＵＳＢメモリ等のような多様な記録媒体に保存されたコンテンツを再生する装置を意味する。
【００７３】
放送局からコンテンツを受信する実施形態に場合には、受信部１６０は、チューナ（図示せず）と、復調器（図示せず）、等化器（図示せず）等のような構成を含む形態で実現されてよい。一方、ウェブサーバのようなソースからコンテンツを受信する実施形態の場合には、受信部１６０は、ネットワークインターフェースカード（図示せず）で実現可能である。または、上述の各種記録媒体再生装置からコンテンツを受信する実施形態の場合には、受信部１６０は、記録媒体再生装置と接続されたインターフェース部（図示せず）で実現されてよい。例えば、ＡＶ端子やＣＯＭＰ端子、ＨＤＭＩ（登録商標）端子等で実現可能である。その他にも、受信部１６０は実施形態に応じて、多様な形態で実現されてよい。受信部１６０は、複数個で具備される場合、各受信部は、互いに異なる類型のソースからコンテンツを受信し、ハイブリッドシステムを構成することもできる。
【００７４】
同期化信号生成部１７０は、各コンテンツのディスプレイタイミングに応じて、各コンテンツに対応するメガネ装置２００を同期化させる同期化信号を生成する。シングル２Ｄモード、シングル３Ｄモードで、メガネ装置２００を同期化させる必要がないため、別途の同期化信号は必要としない。
【００７５】
一方、マルチ３Ｄモードでは、フレームレートが変更されるため、ディスプレイ装置１００’は同期化信号を生成し、各メガネ装置２００に伝送しなければならない。ディスプレイ装置１００’及びメガネ装置２００の動作については、詳細に後述する。マルチ２Ｄモードの場合も、図１８ないし図２１の実施形態の場合、ブラック映像を含めるため、フレームレートを変更する必要があるため、同期化信号が生成されるべきである。
【００７６】
以下では、ディスプレイ装置１２０のハードウェア構成について説明する。
【００７７】
ディスプレイ部１２０は、信号処理された映像フレームを出力する構成である。ディスプレイ部１２０は、タイミングコントローラ（図示せず）、ゲートドライバ（図示せず）、データドライバ（図示せず）、電圧駆動部（図示せず）、表示パネル（図示せず）、偏光板（図示せず）を含んでよい。
【００７８】
タイミングコントローラ（図示せず）は、外部からディスプレイ装置１００の解像度に適したクロック信号（ＤＣＬＫ）と水平同期信号（Ｈｓｙｎｃ）、垂直同期信号（Ｖｓｙｎｃ）等を受信し、ゲート制御信号（走査制御信号）、データ制御信号（データ信号）を生成し、入力されたＲ、Ｇ、Ｂデータを再整列してデータドライバに供給する。
【００７９】
タイミングコントローラ（図示せず）は、上記のゲート制御信号に関連し、ゲートシフトクロック（Ｇａｔｅ  Ｓｈｉｆｔ  Ｃｌｏｃｋ：ＧＳＣ）、ゲート出力イネーブル（Ｇａｔｅ  Ｏｕｔｐｕｔ  Ｅｎａｂｌｅ：ＧＯＥ）と、ゲート開始パルス（Ｇａｔｅ  Ｓｔａｒｔ  Ｐｕｌｓｅ：ＧＳＰ）等を発生させることができるが、ここで、ＧＳＣは、Ｒ、Ｇ、Ｂ  ＯＬＥＤのような発光素子に接続されたＴＦＴがオン／オフ（Ｏｎ／Ｏｆｆ）される時間を決定する信号であり、ＧＯＥはゲートドライバの出力を制御する信号であり、ＧＳＰは一つの垂直同期信号のうち、画面の１番目の駆動ラインを報知する信号である。なお、タイミングコントローラ（図示せず）は、データ制御信号に関連し、ソースサンプリングクロック（Ｓｏｕｒｃｅ  Ｓａｍｐｌｉｎｇ  Ｃｌｏｃｋ：ＳＳＣ）、ソース出力イネーブル（Ｓｏｕｒｃｅ  Ｏｕｔｐｕｔ  Ｅｎａｂｌｅ：ＳＯＥ）、ソース開始パルス（Ｓｏｕｒｃｅ  Ｓｔａｒｔ  Ｐｕｌｓｅ：ＳＳＰ）等を生成することができる。
【００８０】
ゲートドライバ（図示せず）は、走査信号を生成する構成として、走査線Ｓ１、Ｓ２、Ｓ３、…、Ｓｎを通じて表示パネルと接続される。ゲートドライバ（図示せず）は、タイミングコントローラによって生成されたゲート制御信号に応じて電圧駆動部から提供されるゲートオン／オフ電圧（Ｖｇｈ／Ｖｇｌ）を表示パネルに印加する。ゲートオン電圧（Ｖｇｈ）は、表示パネル（図示せず）に単位フレーム映像の実現のために、ゲートライン１（ＧＬ１）でゲートラインＮ（ＧＬｎ）まで順次に提供される。データドライバ（図示せず）は、データ信号を生成する構成として、データ線Ｄ１、Ｄ２、Ｄ３、…、Ｄｍを通じて表示パネル（図示せず）と連結される。データドライ（図示せず）は、タイミングコントローラ（図示せず）によって生成されたデータ制御信号に応じてスケーリングが完了し、３Ｄ映像データの３Ｄ左眼映像イメージフレームと右眼映像イメージフレームのＲＧＢデータを表示パネル（図示せず）に入力する。データドライバ（図示せず）は、タイミングコントローラ（図示せず）で直列（ｓｅｒｉａｌ）で提供されるＲＧＢの映像データを並列（ｐａｒａｌｌｅｌ）に変換し、デジタルデータをアナログ電圧に変換し、一つの水平ライン分に該当する映像データを表示パネル（図示せず）に提供する。この過程は、各水平ライン別に順次に行われる。
【００８１】
電圧駆動部（図示せず）は、表示パネル（図示せず）と、ゲートドライバ（図示せず）と、データドライバ（図示せず）等にそれぞれの駆動電圧を生成して伝達する。すなわち、外部からの常用電源、すなわち、１１０Ｖまたは２２０Ｖの交流電圧を提供されて表示パネル（図示せず）に必要な電源電圧（ＶＤＤ）を生成して提供したり、接地電圧（ＶＳＳ）を提供することができる。なお、ゲートオン電圧（Ｖｇｈ）を生成してゲートドライバ（図示せず）に提供することができる。そのために、電圧駆動部（図示せず）は、個別に動作する複数の電圧駆動モジュール（図示せず）を含んでよい。ここで、複数の電圧駆動モジュール（図示せず）は、制御部１５０の制御に応じて、互いに異なる電圧を提供するように動作することができ、制御部１５０は、予め設定された情報に応じて複数の電圧駆動モジュールが互いに異なる駆動電圧を提供するように電圧駆動部（図示せず）を制御することができる。
【００８２】
表示パネル（図示せず）は、互いに交差して画素領域を定義するための複数のゲートラインＧＬ１〜ＧＬｎとデータラインＤＬ１〜ＤＬｎとが形成され、その交差する画素領域（図示せず）にはＯＬＥＤのようなＲ、Ｇ、Ｂの発光素子が形成されてよい。そして、画素領域（図示せず）の一領域、より正確には、角にはスイッチング素子、すなわち、ＴＨＴが形成される。このようなＴＨＴのターンオン動作の際、データドライバ１３３から階調電圧がそれぞれのＲ、Ｇ、Ｂの発光素子に提供される。このとき、Ｒ、Ｇ、Ｂの発光素子は、階調電圧に基づいて提供された電流量に相応して光を提供するようになる。すなわち、Ｒ、Ｇ、Ｂの発光素子は多くの電流量が提供されると、その分多くの光を提供するようになる。
【００８３】
表示パネル（図示せず）は、ＡＭ−ＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）パネルで実現されてよい。ただ、上述の実施形態は、本発明の一実施形態に過ぎず、本発明が一つのラインが同時に発光して駆動する方式であるＰＭ  ＯＬＥＤ（Ｐａｓｓｉｖｅ  Ｍａｔｒｉｘ  Ｏｒｇａｎｉｃ  Ｌｉｇｈｔ  Ｅｍｉｔｔｉｎｇ  Ｄｉｏｄｅ）を排除しないことは勿論である。
【００８４】
偏光板（図示せず）は、ディスプレイ装置１００のスクリーン表現に備えられ、ディスプレイ装置１００が出力する映像を予め設定された方向に偏光させる。偏光板（図示せず）を通過した映像は、主に線形偏光が行われる。しかし、ディスプレイ装置が、上述の本願発明の多様な実施形態に応じて、複数のコンテンツをディスプレイするマルチビューを提供したり、左眼映像と右眼映像とを含む３Ｄコンテンツをディスプレイする場合、必要に応じて、複数の方向に偏光された映像を出力することもできる。すなわち、互いに異なる光軸を有する偏光子を具備することができ、パターンリターダ部１３０のパターン領域に応じて互いに異なる光軸を有する偏光子を具備されてよい。
【００８５】
上述のディスプレイ部１２０は、液晶ディスプレイパネル（Ｌｉｑｕｉｄ Ｃｒｙｓｔａｌ  Ｄｉｓｐｌａｙ  Ｐａｎｅｌ）、プラズマディスプレイパネル（Ｐｌａｓｍａ  Ｄｉｓｐｌａｙ  Ｐａｎｅｌ）、ＯＬＥＤ（Ｏｒｇａｎｉｃ  Ｌｉｇｈｔ  Ｅｍｉｔｔｉｎｇ  Ｄｉｏｄｅｓ）、ＶＦＤ（Ｖａｃｕｕｍ  Ｆｌｕｏｒｅｓｃｅｎｔ  Ｄｉｓｐｌａｙ）、ＦＥＤ（Ｆｉｅｌｄ Ｅｍｉｓｓｉｏｎ Ｄｉｓｐｌａｙ）及びＥＬＤ（Ｅｌｅｃｔｒｏ Ｌｕｍｉｎｅｓｃｅｎｃｅ  Ｄｉｓｐｌａｙ）等、多様なディスプレイ技術で実現されてよい。
【００８６】
オーディオ出力部１８０は、コンテンツのサウンドを外部に出力する構成である。オーディオ出力部１８０は、オーディオデコーダ（図示せず）、変調部（図示せず）、少なくとも一つのスピーカ（図示せず）を含んでよい。ディスプレイ装置１００は、デマルチプレクサ（図示せず）を介して受信部１１０で受信されたコンテンツからビデオデータ及びオーディオデータを分離する。そして、オーディオデコーダ（図示せず）は、分離されたオーディオデータをデコードし、変調部（図示せず）はデコードされた各オーディオデータを互いに異なる周波数信号に変調する。変調された各オーディオデータをスピーカ（図示せず）が出力する。スピーカ（図示せず）は、ディスプレイ装置１００’にハウジングの適した位置、または、位置に一つまたは複数で形成されてよい。マルチビューモード（マルチ２Ｄモード、マルチ３Ｄモード）の場合、コンテンツ別にサウンドが異なる場合があるため、ディスプレイ装置１００’がこのようなモードにシフトした場合、オーディオ出力部１８０はサウンドを出すことなく、通信部１４０を介して各コンテンツのオーディオ信号をメガネ装置２００に伝達する。
【００８７】
＜メガネ装置の構成及び動作＞
以下では、メガネ装置２００の構成及び動作について説明する。
【００８８】
図５は、本発明の一実施形態に係るメガネ装置２００の構成を示すブロック図である。
【００８９】
図５を参照すると、本発明の一実施形態に係るメガネ装置２００は、第１リターダ２５１と、第２リターダ２６１と、第１シャッタグラス２５０と、第２シャッタグラス２６０と、電源供給部２３０及び制御部２２０を含む。そして、図示していないが、通信部（図示せず）を更に含んでよい。
【００９０】
通信部（図示せず）は、パターンリターダ部１３０を介して領域別に異なるように映像フレームを偏光させて出力するディスプレイ装置１００と通信を行う。具体的に、ディスプレイ装置１００と通信し、同期化信号及びオーディオ信号のうち、少なくとも一方を受信する。
【００９１】
例えば、ディスプレイモードがマルチ３Ｄモードである場合、通信部（図示せず）がブルートゥース通信モジュールで実現される場合、ディスプレイ装置１００とブルートゥース通信規格による通信を行い、同期化信号が含まれた伝送ストリームを受信することができる。この場合、伝送ストリームは、各コンテンツのイメージフレームのディスプレイタイミングに同期化してメガネ装置２００の第１シャッタグラス２５０及び第２シャッタグラス２６０をオンまたはオフさせるための時間情報を含み、メガネ装置２００はコンテンツのイメージフレームのディスプレイタイミングに応じてシャッタグラスをオンまたはオフさせることができる。
【００９２】
一方で、通信部（図示せず）は、ＩＲ受信モジュールで実現され、特定周波数を有する赤外線形態の同期化信号を受信することができる。この場合には、コンテンツの映像フレームのディスプレイタイミングに同期化するようにメガネ装置２００の第１シャッタグラス部２５０及び第２シャッタグラス部２６０をオンまたはオフさせるための時間情報を含む。
【００９３】
一方、通信部（図示せず）は、ディスプレイ装置１００から各コンテンツに対する映像フレームレート（ｆｒａｍｅ  ｒａｔｅ）、映像フレーム周期に関する情報を受信することもできる。
【００９４】
制御部２２０は、メガネ装置２００の動作全般を制御する。制御部２２０は、通信部（図示せず）から受信された同期化信号を電源供給部２３０に伝達し、電源供給部２３０の動作を制御する。すなわち、制御部２２０は、同期化信号に基づいて、第１シャッタグラス部２５０及び第２シャッタグラス部２６０を駆動させるための駆動信号が生成されるように制御する。
【００９５】
第１リターダ２５１は、ディスプレイ装置１００で偏光された映像を複屈折させる構成である。第１リターダ２５１は、高速軸（ｆａｓｔ  ａｘｉｓ）と低速軸（ｓｌｏｗ  ａｘｉｓ）を含み、複屈折される映像は高速軸と低速軸とにそれぞれ対応し、一定した位相差を有する偏光成分に変形される。例えば、第１リターダ２５１は、ディスプレイ装置１００に偏光されて出力された映像を複屈折させて線形偏光を円形偏光または楕円形偏光に変形させることができ、逆に、円形偏光の方向を変えたり、円形偏光を線形偏光に変形させることができる。第１リターダ２５１は、１／４波長板（ｑｕａｒｔｅｒ−ｗａｖｅ  ｆｉｌｍ）のリターダフィルム（ｒｅｔａｒｄｅｒ  ｆｉｌｍ）または１／２波長板のリターダフィルムであってよい。
【００９６】
１／４波長リターダフィルムの場合、線形偏光を円形偏光に変形させる。１／４波長リターダフィルムが連続して２つ備えられたり、１／２波長リターダフィルムの場合、線形偏光の光軸を９０度回転させる。一方、１／４波長リターダフィルムの波長遅延方向が異なる場合、線形偏光で円形偏光に変形された光が再び線形偏光に復帰する。このような第１リターダ２５１の性質を用いると、選択的に偏光された映像のみを透過させることができるようになり、マルチビューや３Ｄ映像視聴が可能である。
【００９７】
第２リターダ２６１は、第１リターダと同一の機能を行う。本発明の第１リターダ２５１及び第２リターダ２６１は、ディスプレイ装置１００から出力された第１映像及び第２映像をそれぞれ異なる方向に光軸を回転させる。本発明の一実施形態において、第２リターダ２６１は、第１リターダ２５１と反対方向に位相を遅延させる。すなわち、第１リターダ２５１が−１／４波長のリターダフィルムなら、第２リターダ２６１は、１／４波長のリターダフィルムが使用されてよい。勿論、その反対の場合も可能である。
【００９８】
第１シャッタグラス２５０及び第２シャッタグラス２６０は、電源の印加有無に応じて、前記光軸が回転された第１映像及び第２映像の偏光特性をそれぞれ変化させる。このとく、制御部２２０は、前記第１映像及び第２映像を選択的に視聴するために、第１シャッタグラス及び第２シャッタグラスのそれぞれに前記電源を選択的に印加するように制御する。
【００９９】
図６は、メガネ装置の構成及び動作を示す模式図である。
【０１００】
上述のように、メガネ装置２００は、第１リターダ２５１と、第２リターダ２６１と、第１シャッタグラス２５０と、第２シャッタグラス２６０と、電源供給部２３０及び制御部２２０を含む。
【０１０１】
そして、図６に示すように、第１シャッタグラス２５０は、液晶セル２５２と、後面偏光子２５３とを含み、第２シャッタグラス２６０は、液晶セル２６２と、後面偏光子２６３とを含む。
【０１０２】
液晶セル２５２は、駆動電圧に応じて配向がスイッチングされ、スイッチングされた配向に応じて偏光の特性を変化させる構成である。偏光の特性とは、偏光の位相または方向であってよい。すなわち、偏光された映像が入射される場合、液晶セルに特定の駆動電圧が印加されて配向が行われると、入射光の波長を遅延させたり、入射光をそのまま通過させる機能を行うことができる。例えば、液晶セルは、アクティブリターダ（ａｃｔｉｖｅ  ｒｅｔａｒｄｅｒ）であってよく、特定電圧が印加されたり、印加されていない場合、線形偏光された映像の偏光方向を変えたり（位相変化）、円形偏光の位相を変化させ、円形偏光の方向を反対にすることができる。一実施形態として、何の電圧の印加がない場合、線形偏光の光軸を９０度回転（位相差をλ／２だけ変化）させることができ、電圧が印加される場合、入射光に何の変化を与えずにそのまま通過させることができる。すなわち、電圧の印加がない場合、入射光が線形偏光されていると、偏光方向を９０度回転させ、左円偏光されている場合、偏光方向を９０度回転させ、左円偏光されていると右円偏光に変形させ、右円偏光は左円偏光に変形させる。
【０１０３】
液晶セル２５２の実現は、特定の技術に限定しないが、一実施形態において、ＴＮ  ＥＣＢ（ｅｌｅｃｔｒｉｃａｌｌｙ  ｃｏｎｔｒｏｌｌａｂｌｅ  ｂｉｒｅｆｒｉｎｇｅｎｃｅ）  ＣｅｌｌまたはＴＮ  ＯＣＢ（ｏｐｔｉｃａｌｌｙ  ｃｏｍｐｅｎｓａｔｅｄ  ｂｅｎｄ）  Ｃｅｌｌであってよい。
【０１０４】
後面偏光子２５３は、液晶セル２５２を通過した映像を再び偏光させる構成として、偏光軸と直交する成分を遮断する。後面偏光子２５３は、目的に応じて、ディスプレイ装置１００の出力偏光と直交方向または平行方向の偏光成分のみを透過させる。
【０１０５】
液晶セル２６２は、液晶セル２５２と同様に動作する。上述のような実施形態において、液晶セル２５２と、液晶セル２６２とが、電圧が印加されていない場合、光軸を９０度回転させ、電圧が印加される場合、映像をそのまま透過させるものとして説明したが、実現に応じて、その反対に動作するようにすることもできる。
【０１０６】
後面偏光子２６３も、後面偏光子２５３と同様に動作する。ただ、実施形態によって、偏光軸は異なるように設定可能だが、この場合、リターダと液晶セルは目的に合うように適切に調整すべきである。例えば、いずれか一方の後面偏光子は水平偏光軸を有し、他方の後面偏光子は垂直偏光軸を有してよい。この場合、上述の実施形態と違って、２つの後面偏光子のうち、一つの液晶セルに印加される電源が逆になるべきである。
【０１０７】
まとめると、図６に示すように、ディスプレイ装置１００は、偏光された映像をパターンリターダ部１３０を介して複屈折させて出力し、出力された映像はメガネ装置２００の第１リターダ２５１と、第２リターダ２６１とをそれぞれ通過し、制御部２２０は、制御信号を生成して電源供給部２３０を動作させ、電源供給部２３０は、電圧を液晶セル２５２、２６２にそれぞれ選択的に印加し、液晶セル２５２、２６２の配向を選択的に変更させることで、リターダ２５１、２６１を通過した映像の偏光性質を変形させる。最終的に、液晶セル２５２、２６２を通過した映像は、後面偏光子２５３、２６３をそれぞれ通過しつつ、一定の方向の偏光された映像のみが人の眼に入るようになる。
【０１０８】
一方、上述のメガネ装置２００は、受信されたオーディオ信号を出力するオーディオ出力部（図示せず）を更に含んでよい。
【０１０９】
従来に、マルチビューシステムの場合、別途のオーディオ受信及び出力手段がない以上、互いに異なるコンテンツを視聴する複数の視聴者は、ディスプレイ装置から出力される同一のサウンドを聞かざるを得ないという問題があった。しかし、本発明は、マルチビューの場合、各コンテンツのサウンドをメガネ装置２００に伝達し、オーディオ出力部（図示せず）を介してメガネ装置２００で各コンテンツのサウンドを聴取することができるようになる。そのために、メガネ装置２００のオーディオ出力部（図示せず）は、イヤホン（図示せず）を具備することができる。
【０１１０】
以下では、ディスプレイモード別にディスプレイ装置１００とメガネ装置２００との動作を説明する。
【０１１１】
＜シングル３Ｄモードにおける動作＞
図７は、シングル３Ｄモードで本発明の一実施形態に係るディスプレイ動作を示す図である。
【０１１２】
図７を参照すると、ディスプレイ装置１００のパターンリターダ部１３０の第１領域１３１を介して左円偏光された左眼映像（ａ）が出力され、第２領域１３２を介して右円偏光された右眼映像（ｂ）が出力されている。左眼映像（ａ）と右眼映像（ｂ）とは、最初に同一の水平方向光軸を有する線形偏光が行われたものと仮定する。なお、液晶セルは、電圧がＯＦＦになっている際、光軸を９０度回転させ（１／２波長分だけ位相遅延）、電圧がＯＮになると、映像をそのまま通過させると仮定する。勿論、実施形態によっては、その反対に動作することもできる。なお、後面偏光子２５３−１、２６３−１は垂直方向の偏光成分を有する光を遮断すると仮定する。それも、実施形態によって、その反対になる場合もあることは自明である。
【０１１３】
このとき、ビューア１のメガネ装置２００−１の左眼シャッタグラスのリターダ２５１−１は前記パターンリターダ部１３０の第１領域１３１と反対方向の位相遅延性質を有する。すなわち、同一の線形偏光された映像に対して反対方向に１／４波長位相差を発生させる。前記左眼シャッタグラスのリターダ２５１−１を通過した左眼映像（ａ）は再び水平方向の線形偏光に復帰するようになる。一方、左眼シャッタグラスのリターダ２５１−１は、パターンリターダ部１３０の第２領域１３２と同一の方向に１／４波長位相差を発生させるため、前記左眼シャッタグラスのリターダ２５１−１を通過した右眼映像（ｂ）は、更に１／４波長遅延されて光軸が９０度回転されるため、垂直方向の線形偏光に変わる。
【０１１４】
ビューア１のメガネ装置２００−１の左眼シャッタグラスの液晶セル２５２−１は、ＯＮ状態であるため、水平偏光された左眼映像（ａ）と垂直偏光された右眼映像（ｂ）をそのまま透過させる。そして、後面偏光子２５３−１は、垂直方向の偏光成分を有する光を遮断するため、左眼には最終的に左眼映像（ａ）のみが到達するようになる。
【０１１５】
一方、ビューア１のメガネ装置２００−１の右眼シャッタグラスのリターダ２６１−１は、前記パターンリターダ部１３０の第２領域１３２と反対方向の位相遅延性質を有する。すなわち、同一の線形偏光された映像に対して反対方向に１／４波長位相差を発生させる。よって、前記右眼シャッタグラスのリターダ２６１−１を通過した右眼映像（ｂ）は、再び水平方向の線形偏光に復帰するようになる。一方、右眼シャッタグラスのリターダ２６１−１は、パターンリターダ部１３０の第１領域１３１と同一の方向に１／４波長位相差を発生させるため、前記右眼シャッタグラスのリターダ２６１−１を通過した左眼映像（ａ）は、更に１／４波長遅延されて光軸が９０度回転されるため、垂直方向の線形偏光に変わる。
【０１１６】
ビューア１のメガネ装置２００−１の右眼シャッタグラスの液晶セル２６２−１は、ＯＮ状態であるため、水平偏光された右眼映像（ｂ）と垂直偏光された左眼映像（ａ）をそのまま透過させる。そして、後面偏光子２６３−１は、垂直方向の偏光成分を有する光を遮断するため、右眼には最終的に右眼映像（ｂ）のみが到達するようになる。
【０１１７】
よって、メガネ装置２００−１を着用したビューア１は、左眼を通じて左眼映像（ａ）のみを視聴し、右眼を通じて右眼映像（ｂ）のみを視聴することができるようになる。
【０１１８】
ビューア２のメガネ装置２００−２も、ビューア１のメガネ装置２００−１と同様に動作する。メガネ装置２００−２を着用したビューア２は、左眼を通じて左眼映像（ａ）のみを視聴し、右眼を通じて右眼映像（ｂ）のみを視聴することができるようになる。
【０１１９】
一方、パッシブメガネ装置を通じ、類似する方式で３Ｄ映像視聴が可能である。
【０１２０】
図示はしていないが、図７の場合と類似するようにディスプレイ装置１００のパターンリターダ部１３０の第１領域１３１を通じて左円偏光された左眼映像が出力され、第２領域１３２を通じて右円偏光された右眼映像が出力される場合、左眼映像と右眼映像とは、最初に同一の水平方向光軸を有する線形偏光が行われると仮定することができる。パッシブメガネ装置（図示せず）の場合、液晶セルを具備していない。
【０１２１】
ビューア１のパッシブメガネ装置の動作について説明すると、左眼レンズのリターダは前記パターンリターダ部１３０の第１領域１３１と反対方向の位相遅延性質を有する。すなわち、同一の線形偏光された映像に対して反対方向に１／４波長位相差を発生させる。前記左眼レンズのリターダを通過した左眼映像は再び線形偏光に復帰するようになる。一方、左眼レンズのリターダは、パターンリターダ部１３０の第２領域１３２と同一の方向に１／４波長位相差を発生させるため、前記左眼レンズのリターダを通過した右眼映像は、更に１／４波長遅延されて光軸が９０度回転されるため、垂直方向の線形偏光に変わる。
【０１２２】
ビューア１のパッシブメガネ装置の後面偏光子は、垂直方向の偏光成分を有する光を遮断するため、左眼には最終的に左眼映像のみが到達するようになる。
【０１２３】
一方、ビューア１のパッシブメガネ装置の右眼レンズのリターダは前記パターンリターダ部１３０の第２領域１３２と反対方向の位相遅延性質を有する。すなわち、同一の線形偏光された映像に対して反対方向に１／４波長位相差を発生させる。よって、前記右眼レンズのリターダを通過した右眼映像は再び線形偏光に復帰するようになる。一方、右眼レンズのリターダは、パターンリターダ部１３０の第１領域１３１と同一の方向に１／４波長位相差を発生させるため、前記右眼レンズのリターダを通過した左眼映像は、更に１／４波長遅延されて光軸が９０度回転されるため、垂直方向の線形偏光に変わる。
【０１２４】
後面偏光子は、垂直方向の偏光成分を有する光を遮断するため、右眼には最終的に右眼映像のみが到達するようになる。
【０１２５】
よって、パッシブメガネ装置を着用したビューア１は、左眼を通じて左眼映像のみを視聴し、右眼を通じて右眼映像のみを視聴することができるようになる。
【０１２６】
ビューア２のパッシブメガネ装置（図示せず）も、ビューア１のパッシブメガネ装置と同様に動作する。パッシブメガネ装置を着用したビューア２は、左眼を通じて左眼映像のみを視聴し、右眼を通じて右眼映像のみを視聴することができるようになる。
【０１２７】
＜マルチ２Ｄモードにおける動作＞
【０１２８】
以下では、マルチ２Ｄモードでディスプレイ動作について説明する。
【０１２９】
図８は、マルチ２Ｄモードで本発明の一実施形態に係るディスプレイ動作を示す図である。
【０１３０】
図８を参照すると、ディスプレイ装置１００のパターンリターダ部１３０の第１領域１３１を介して左円偏光されたチャネル１映像（ａ）が出力され、第２領域１３２を介して右円偏光されたチャネル２映像（ｂ）が出力されている。チャネル１映像（ａ）とチャネル２映像（ｂ）とは、最初に同一の水平方向光軸を有する線形偏光が行われたものと仮定する。なお、液晶セルは、電圧がＯＦＦになっている際、光軸を回転させ（位相遅延）、電圧がＯＮになると、映像をそのまま通過させると仮定する。勿論、実施形態によっては、その反対に動作することもできる。なお、後面偏光子２５３−１、２６３−１は垂直方向の偏光成分を有する光を遮断すると仮定する。それも、実施形態によって、その反対になる場合もあることは自明である。
【０１３１】
このとき、ビューア１のメガネ装置２００−１の左眼シャッタグラスのリターダ２５１−１は前記パターンリターダ部１３０の第１領域１３１と反対方向の位相遅延性質を有する。すなわち、同一の線形偏光された映像に対して反対方向に１／４波長位相差を発生させる。前記左眼シャッタグラスのリターダ２５１−１を通過したチャネル１映像（ａ）は再び水平方向の線形偏光に復帰するようになる。一方、左眼シャッタグラスのリターダ２５１−１は、パターンリターダ部１３０の第２領域１３２と同一の方向に１／４波長位相差を発生させるため、前記左眼シャッタグラスのリターダ２５１−１を通過したチャネル２映像（ｂ）は、更に１／４波長遅延されて光軸が９０度回転されるため、垂直方向の線形偏光に変わる。
【０１３２】
ビューア１のメガネ装置２００−１の左眼シャッタグラスの液晶セル２５２−１は、ＯＮ状態であるため、水平偏光されたチャネル１映像（ａ）と垂直偏光されたチャネル２映像（ｂ）をそのまま透過させる。そして、後面偏光子２５３−１は、垂直方向の偏光成分を有する光を遮断するため、左眼には最終的にチャネル１映像（ａ）のみが到達するようになる。
【０１３３】
同様に、ビューア１のメガネ装置２００−１の右眼シャッタグラスのリターダ２６１−１は、前記パターンリターダ部１３０の第２領域１３２と反対方向の位相遅延性質を有する。すなわち、同一の線形偏光された映像に対して反対方向に１／４波長位相差を発生させる。よって、前記右眼シャッタグラスのリターダ２６１−１を通過したチャネル２映像（ｂ）は、再び水平方向の線形偏光に復帰するようになる。一方、右眼シャッタグラスのリターダ２６１−１は、パターンリターダ部１３０の第１領域１３１と同一の方向に１／４波長位相差を発生させるため、前記右眼シャッタグラスのリターダ２６１−１を通過したチャネル１映像（ａ）は、更に１／４波長遅延されて光軸が９０度回転されるため、垂直方向の線形偏光に変わる。
【０１３４】
ところが、ビューア１のメガネ装置２００−１の右眼シャッタグラスの液晶セル２６２−１はＯＦＦ状態であり、この場合、１／２波長リターダと同様に動作する。すなわち、光軸を９０度回転させ、水平偏光された光は垂直偏光された光として、水平偏光された光は水平偏光された光に変形させる。よって、前記ａは、水平方向の線形偏光に、ｂは垂直方向の線形偏光に変形される。後面偏光子２６３−１は、垂直方向の偏光成分を有する光を遮断するため、右眼には左眼と同様に、最終的にチャネル１映像（ａ）のみが到達するようになる。
【０１３５】
よって、メガネ装置２００−１を着用したビューア１は、左右眼を通じてチャネル１映像のみを視聴するようになる。
【０１３６】
ビューア２のメガネ装置２００−２も、ビューア１のメガネ装置２００−１と類似するように動作する。ただ、ビューア２のメガネ装置２００−２の左眼シャッタグラスの液晶セル２５２−２はＯＦＦになる一方、右眼シャッタグラスの液晶セル２６２−２はＯＮになる。よって、メガネ装置２００−２を着用したビューア２は、左右眼を通じてチャネル２映像のみを視聴するようになる。
【０１３７】
一方、パッシブメガネ装置を通じ、類似する方式でマルチ２Ｄ映像視聴が可能である。それは、本発明のディスプレイ装置１００のディスプレイ映像を視聴するための本発明の別の実施形態になってよい。
【０１３８】
図示はしていないが、図８の場合と類似するようにディスプレイ装置１００のパターンリターダ部１３０の第１領域１３１を通じて左円偏光されたチャネル１映像が出力され、第２領域１３２を通じて右円偏光されたチャネル２映像が出力されると仮定する。チャネル１映像とチャネル２映像とは、最初に同一の水平方向光軸を有する線形偏光が行われると仮定する。
【０１３９】
このとき、ビューア１のパッシブメガネ装置（図示せず）の左眼レンズのリターダ（図示せず）は、前記パターンリターダ部１３０の第１領域１３１と反対方向の位相遅延性質を有する。すなわち、同一の線形偏光された映像に対して反対方向に１／４波長位相差を発生させる。前記左眼レンズのリターダを通過したチャネル１映像は再び線形偏光に復帰するようになる。一方、左眼レンズのリターダは、パターンリターダ部１３０の第２領域１３２と同一の方向に１／４波長位相差を発生させるため、前記左眼レンズのリターダを通過したチャネル２映像は、更に１／４波長遅延されて光軸が９０度回転されるため、垂直方向の線形偏光に変わる。
【０１４０】
ビューア１のパッシブメガネ装置の左眼レンズの後面偏光子（図示せず）は、垂直方向の偏光成分を有する光を遮断するため、左眼には最終的にチャネル１映像のみが到達するようになる。
【０１４１】
同様に、ビューア１のメガネ装置の右眼レンズのリターダは前記パターンリターダ部１３０の第２領域１３２と反対方向の位相遅延性質を有する。すなわち、同一の線形偏光された映像に対して反対方向に１／４波長位相差を発生させる。よって、前記右眼レンズのリターダを通過したチャネル２映像は再び線形偏光に復帰するようになる。一方、右眼レンズのリターダは、パターンリターダ部１３０の第１領域１３１と同一の方向に１／４波長位相差を発生させるため、前記右眼レンズのリターダを通過したチャネル１映像は、更に１／４波長遅延されて光軸が９０度回転されるため、垂直方向の線形偏光に変わる。
【０１４２】
ところが、ビューア１のメガネ装置の右眼レンズの後面偏光子は、垂直方向の偏光成分を有する光を遮断し、右眼には左眼と同様に、最終的にチャネル１映像のみが到達するようになる。
【０１４３】
よって、パッシブメガネ装置を着用したビューア１は、左右眼を通じてチャネル１映像のみを視聴するようになる。
【０１４４】
ビューア２のパッシブメガネ装置も、ビューア１のパッシブメガネ装置と類似するように動作する。ただ、ビューア２のパッシブメガネ装置の左眼レンズの後面偏光子は垂直方向の偏光成分を有する光を遮断する一方、右眼レンズの後面偏光子は水平方向の偏光成分を有する光を遮断する。結果的に、パッシブメガネ装置を着用したビューア２は、左右眼を通じてチャネル２映像のみを視聴するようになる。
【０１４５】
このように、パッシブメガネ装置は、３Ｄ映像を視聴する時と、マルチビュー映像を視聴する時と、異なる方向の偏光板を有するレンズを必要とすることができる。すなわち、パッシブメガネ装置は、３Ｄ映像を視聴する時と、マルチビュー映像を視聴する時と、異なる方向の波長遅延板または異なる方向の偏光フィルタを有するレンズを必要とする。それは、３Ｄ映像の場合、左眼と右眼との偏光性質が異なるのに対し、マルチ２Ｄ映像は左眼と右眼との偏光性質は同じであり、コンテンツ別に異なるため、一つの方式でフィックス（Ｆｉｘ）されたパッシブメガネ装置で、３Ｄ映像とマルチビュー映像とを全て視聴ができないためである。結果的に、コンテンツの種類によって、メガネ装置を取り替えなければならないという不都合があった。
【０１４６】
一方、上述のメガネ装置２００の場合、必要に応じて、液晶セルに電圧を印加する方式を異なるようにすることで、マルチ２Ｄコンテンツと３Ｄコンテンツとを全て視聴することができるというメリットがある。
【０１４７】
なお、パッシブメガネ装置の場合、各コンテンツ別に互いに異なるサウンドを伝達することができる手段がないという問題があった。
【０１４８】
上述の問題点を解決するために、本発明の別の実施形態に係るメガネ装置２００は、オーディオ出力部（図示せず）を更に含む。このとき、制御部２２０は、ディスプレイモードが複数の２Ｄコンテンツを出力する２Ｄマルチビューモードである場合、複数の２Ｄコンテンツのうち、メガネ装置２００に対応する２Ｄコンテンツのオーディオ信号を受信し、オーディオ出力部（図示せず）を介して出力されるように制御する。同様に、制御部２２０は、ディスプレイモードが複数の３Ｄコンテンツを出力する３Ｄマルチビューモードである場合、複数の３Ｄコンテンツのうち、メガネ装置２００に対応する３Ｄコンテンツのオーディオ信号を受信し、オーディオ出力部（図示せず）を介して出力されるように制御する。
【０１４９】
オーディオ信号は、後述の同期化信号の伝送メカニズムで伝送されてよい。それについては、後述する。
【０１５０】
＜マルチ３Ｄモードにおける動作＞
以下では、マルチ３Ｄモードにおけるディスプレイ動作について説明する。
【０１５１】
マルチ３Ｄモードを実現するために、少なくとも４枚の互いに異なる映像フレームが必要である。すなわち、チャネル１の左眼映像フレーム、右眼映像フレーム、チャネル２の左眼映像フレーム、右眼映像フレームが必要である。パターンリターダ方式を利用する場合、画面を互いに偏光性質の異なる２領域に分割する場合、４つの映像を表示することができないため、フレームレートを調整する必要があった。なお、上述のメガネ装置２００は、偏光性質の変化を利用するが、光を完全に遮断するものではないため、４枚の映像フレームのうち、いずれか１枚の映像フレームに対する光のみを透過させる方策を考慮しなければならない。
【０１５２】
まず、フレームレート調整のための信号処理部１１０を構成について説明する。
【０１５３】
図９は、本発明の一実施形態に係る信号処理部１１０の構成を示すブロック図である。
【０１５４】
図９を参照すると、本発明の一実施形態に係る信号処理部１１０は、Ａ／Ｖデコーダ１１１と、スケーラ１１２と、フレームレートコンバータ１１３を含む。
【０１５５】
Ａ／Ｖデコーダ１１１は、映像コンテンツ信号からオーディオデータとビデオデータとを抽出し、各オーディオデータ、ビデオデータに対するデコードを行う。
【０１５６】
スケーラ１１２は、ディスプレイ画面サイズに映像データをスケーリングする構成である。スケーリングとは、ピクセル値の分布範囲を予め設定された範囲内に収めるようにするために、分布範囲に定数を乗ずることを意味する。予め設定された範囲が最初の映像データのピクセル値の分布範囲より大きい場合をアップスケーリング（ｕｐ−ｓｃａｌｉｎｇ）とし、アップスケーリング結果映像データの画面は予め設定された比率で拡大する。一方、予め設定された範囲が入力映像データのピクセル値の分布範囲より小さい場合をダウンスケーリング（ｄｏｗｎ−ｓｃａｌｉｎｇ）とし、ダウンスケーリング結果映像データの画面は予め設定された比率で縮小する。アップスケーリングの場合は、入力映像データ上の一つのピクセル値がスケーリング結果映像データ画面の複数のピクセル値でマッチングできるため、解像度が低下するおそれがある。
【０１５７】
フレームレートコンバータ１１３は、映像データのフレームレートを変換する構成である。フレームレートとは、秒当りに出力する映像フレームの数を意味する。フレームレートコンバータ１１３は、映像コンテンツのフレームレートをディスプレイ装置１００の出力レートに合うように変換する。例えば、ディスプレイ装置１００が６０Ｈｚで動作する場合なら、フレームレートコンバータは、映像コンテンツのフレームレートを６０Ｈｚに設定することができる。映像フレームの数が少ない場合、連続する映像フレームを用いて、その間に位置する新たな映像フレームを作り、映像フレームの数が多い場合、映像フレームの一部を削除してフレームレートと合わせる。
【０１５８】
ディスプレイ装置１００がマルチビューや３Ｄ映像を提供する場合、フレームレートコンバータは、シングル映像データの倍数のフレームレートを要する。例えば、３Ｄコンテンツの左眼映像フレームと右眼映像フレームとを交互に出力する場合、３Ｄコンテンツの映像フレームレートは、６０Ｈｚ×２＝１２０Ｈｚに設定することができる。よって、秒当りに１２０回映像フレーム出力が可能であり、左眼映像フレームと右眼映像フレームとを交互にそれぞれ秒当りに６０回出力することができるようになる。
【０１５９】
ここで、交互にディスプレイするとは、一つのコンテンツの映像フレームを先にディスプレイし、続いて他のコンテンツの映像フレームをディスプレイする方式で、交互の異なるコンテンツに関する映像フレームをディスプレイすることを意味する。例えば、一つのコンテンツの映像フレームがＡ、Ｂ、Ｃ、Ｄ、…、Ｚであり、他のコンテンツの映像フレームがａ、ｂ、ｃ、ｄ、…、ｚである場合、Ａ、ａ、Ｂ、ｂ、Ｃ、ｃ、…Ｚ、ｚのような順に、映像フレームをディスプレイする場合である。
【０１６０】
マルチ３Ｄモードの場合、フレームレートコンバータ１１３を介してフレームレートを調整してコンテンツのディスプレイが可能である。図１０ないし図１３で、このような実施形態に関する説明が行われる。
【０１６１】
図１０ないし図１３は、それぞれマルチ３Ｄモードで本発明の一実施形態に係る第１ないし第４映像フレームのディスプレイ動作によるメガネ装置の動作を示す図である。
【０１６２】
図１０を参照すると、第１映像フレームでディスプレイ装置１００のパターンリターダ部１３０の第１領域１３１を介して左円偏光されたチャネル１左眼映像（ａ）が出力され、第２領域１３２を介して右円偏光されたブラック映像（ｂ）が出力されている。全映像は、最初に同一の水平方向光軸を有する線形偏光が行われたものと仮定する。なお、液晶セルは、電圧がＯＮになっているとき、光をそのまま通過させ、電圧がＯＦＦになると、位相を１／２波長遅延（光軸を９０度回転）させると仮定する。勿論、実施形態によっては、その反対に動作することもできる。なお、後面偏光子２５３−１、２６３−１は垂直方向の偏光成分を有する光を遮断すると仮定する。それも、実施形態によって、その反対になる場合もあることは自明である。
【０１６３】
このとき、ビューア１のメガネ装置２００−１の左眼シャッタグラスのリターダ２５１−１は前記パターンリターダ部１３０の第１領域１３１と反対方向の位相遅延性質を有する。すなわち、同一の線形偏光された映像に対して反対方向に１／４波長位相差を発生させる。前記左眼シャッタグラスのリターダ２５１−１を通過したチャネル１左眼映像（ａ）は再び線形偏光に復帰するようになる。一方、左眼シャッタグラスのリターダ２５１−１は、パターンリターダ部１３０の第２領域１３２と同一の方向に１／４波長位相差を発生させるため、前記左眼シャッタグラスのリターダ２５１−１を通過したブラック映像（ｂ）は、更に１／４波長遅延されて光軸が９０度回転されるため、垂直方向の線形偏光に変わる。
【０１６４】
ビューア１のメガネ装置２００−１の左眼シャッタグラスの液晶セル２５２−１は、ＯＮ状態であるため、水平偏光されたチャネル１左眼映像と垂直偏光されたブラック映像をそのまま透過させる。そして、後面偏光子２５３−１は、垂直方向の偏光成分を有する光を遮断するため、左眼には最終的にチャネル１左眼映像（ａ）のみが到達するようになる。
【０１６５】
一方、ビューア１のメガネ装置２００−１の右眼シャッタグラスのリターダ２６１−１は、前記パターンリターダ部１３０の第２領域１３２と反対方向の位相遅延性質を有する。すなわち、同一の線形偏光された映像に対して反対方向に１／４波長位相差を発生させる。よって、前記右眼シャッタグラスのリターダ２６１−１を通過したブラック映像（ｂ）は、再び水平方向の線形偏光に復帰するようになる。一方、右眼シャッタグラスのリターダ２６１−１は、パターンリターダ部１３０の第１領域１３１と同一の方向に１／４波長位相差を発生させるため、前記右眼シャッタグラスのリターダ２６１−１を通過したチャネル１左眼映像（ａ）は、更に１／４波長遅延されて光軸が９０度回転されるため、垂直方向の線形偏光に変わる。
【０１６６】
ビューア１のメガネ装置２００−１の右眼シャッタグラスの液晶セル２６２−１は、ＯＮ状態であるため、水平偏光されたブラック映像（ｂ）と垂直偏光されたチャネル１左眼映像（ａ）をそのまま透過させる。そして、後面偏光子２６３−１は、垂直方向の偏光成分を有する光を遮断するため、右眼には最終的にブラック映像（ｂ）のみが到達するようになる。
【０１６７】
よって、メガネ装置２００−１を着用したビューア１は、左眼を通じてチャネル１左眼映像のみを視聴し、右眼を通じてブラック映像のみを視聴することができるようになる。
【０１６８】
ビューア２のメガネ装置２００−２も、ビューア１のメガネ装置２００−１と類似するように動作する。メガネ装置２００−２を着用したビューア２は、左眼、右眼を通じてブラック映像のみを視聴する。
【０１６９】
図１１を参照すると、第１映像フレームでディスプレイ装置１００のパターンリターダ部１３０の第１領域１３１を介して左円偏光されたブラック映像（ａ）が出力され、第２領域１３２を介して右円偏光されたチャネル１右眼映像（ｂ）が出力されている。全映像は、最初に同一の水平方向光軸を有する線形偏光が行われたものと仮定する。なお、液晶セルは、電圧がＯＮになっているとき、光をそのまま通過させ、電圧がＯＦＦになると、位相を１／２波長遅延させると仮定する。勿論、実施形態によっては、その反対に動作することもできる。なお、後面偏光子２５３は、垂直方向の偏光成分を有する光を遮断すると仮定する。それも、実施形態によって、その反対になる場合もあることは自明である。
【０１７０】
このとき、ビューア１のメガネ装置２００−１の左眼シャッタグラスのリターダ２５１−１は前記パターンリターダ部１３０の第１領域１３１と反対方向の位相遅延性質を有する。すなわち、同一の線形偏光された映像に対して反対方向に１／４波長位相差を発生させる。前記左眼シャッタグラスのリターダ２５１−１を通過したブラック映像（ａ）は再び線形偏光に復帰するようになる。一方、左眼シャッタグラスのリターダ２５１−１は、パターンリターダ部１３０の第２領域１３２と同一の方向に１／４波長位相差を発生させるため、前記左眼シャッタグラスのリターダ２５１−１を通過したチャネル１右眼映像（ｂ）は、更に１／４波長遅延されて光軸が９０度回転されるため、垂直方向の線形偏光に変わる。
【０１７１】
ビューア１のメガネ装置２００−１の左眼シャッタグラスの液晶セル２５２−１は、ＯＮ状態であるため、水平偏光されたブラック映像（ａ）と垂直偏光されたチャネル１右眼映像（ｂ）をそのまま透過させる。そして、後面偏光子２５３−１は、垂直方向の偏光成分を有する光を遮断するため、左眼には最終的にブラック映像（ａ）のみが到達するようになる。
【０１７２】
一方、ビューア１のメガネ装置２００−１の右眼シャッタグラスのリターダ２６１−１は、前記パターンリターダ部１３０の第２領域１３２と反対方向の位相遅延性質を有する。すなわち、同一の線形偏光された映像に対して反対方向に１／４波長位相差を発生させる。よって、前記右眼シャッタグラスのリターダ２６１−１を通過したチャネル１右眼映像（ｂ）は、再び線形偏光に復帰するようになる。一方、右眼シャッタグラスのリターダ２６１−１は、パターンリターダ部１３０の第１領域１３１と同一の方向に１／４波長位相差を発生させるため、前記右眼シャッタグラスのリターダ２６１−１を通過したブラック映像（ａ）は、更に１／４波長遅延されて光軸が９０度回転されるため、垂直方向の線形偏光に変わる。
【０１７３】
ビューア１のメガネ装置２００−１の右眼シャッタグラスの液晶セル２６２−１は、ＯＮ状態であるため、水平偏光されたチャネル１右眼映像と垂直偏光されたブラック映像（ａ）をそのまま透過させる。そして、後面偏光子２６３−１は、垂直方向の偏光成分を有する光を遮断するため、右眼には最終的にチャネル１右眼映像（ｂ）のみが到達するようになる。
【０１７４】
よって、メガネ装置２００−１を着用したビューア１は、左眼を通じてブラック映像（ａ）のみを視聴し、右眼を通じてチャネル１右眼映像（ｂ）のみを視聴することができるようになる。
【０１７５】
ビューア２のメガネ装置２００−２も、ビューア１のメガネ装置２００−１と類似するように動作する。メガネ装置２００−２を着用したビューア２は、左眼、右眼を通じてブラック映像（ａ）のみを視聴する。
【０１７６】
図１２及び図１３の場合も、上記で説明した原理と同様に動作する。
【０１７７】
図１２において、第３映像フレームは、第１領域はチャネル２左眼映像（ａ）がディスプレイされ、第２領域はブロック映像（ｂ）がディスプレイされる。このとき、ビューア１のメガネ装置２００−１の左右眼はブラック映像（ｂ）を視聴し、ビューア２のメガネ装置２００−２の左眼シャッタグラスはチャネル２左眼映像（ａ）を透過させて右眼シャッタグラスはブラック映像（ｂ）を透過させる。
【０１７８】
図１３において、第４映像フレームは、第１領域はブラック映像（ａ）がディスプレイされ、第２領域はチャネル２右眼映像（ｂ）がディスプレイされる。このとき、ビューア１のメガネ装置２００−１の左右眼シャッタグラスは、ブラック映像（ａ）を透過させ、ビューア２のメガネ装置２００−２の左眼シャッタグラスはブラック映像（ａ）を透過させて右眼シャッタグラスはチャネル２右眼映像（ｂ）を透過させる。
【０１７９】
上述の例のように、マルチ３Ｄモードの場合、フレームレートを高めなければならず、各映像フレームのディスプレイタイミングに応じて液晶セルの駆動を異なるようにする必要がある。すなわち、ディスプレイ装置１００とメガネ装置２００との同期化が必要である。
【０１８０】
図１４は、液晶セルの駆動電圧を示す図である。
【０１８１】
図１４を参照すると、ビューア１の左眼シャッタグラス部には、１番目の映像フレームで電圧を印加し、２番目の映像フレームで電圧を印加し、３番目の映像フレームで電圧を印加せず、４番目の映像フレームで電圧を印加し、このような一連の電圧駆動が繰り返されていることが分かる。
【０１８２】
ビューア１の右眼シャッタグラス部は、１番目の映像フレームから３番目の映像フレームまで電圧を印加し、４番目の映像フレームで電圧を印加せず、このような一連の電圧駆動が繰り返される。
【０１８３】
ビューア２の左眼シャッタグラス部は、１番目の映像フレームで電圧を印加せず、２番目の映像フレームから４番目の映像フレームまで電圧が印加し、このような一連の電圧駆動が繰り返される。
【０１８４】
ビューア２の左眼シャッタグラス部は、１番目の映像フレームで電圧が印加されず、２番目の映像フレームで電圧が引火されず、３番目及び４番目の映像フレームでは電圧が印加され、このような一連の電圧駆動が繰り返される。
【０１８５】
このように、映像フレームにブラック映像を挿入してディスプレイする場合、クロストーク（Ｃｒｏｓｓ  Ｔａｌｋ）を効果的に遮断することができる効果がある。
【０１８６】
このように、クロストークの低減効果があり、マルチ２Ｄモードの場合も、ブラック映像を挿入してディスプレイする方式を考慮することができる。上述の本発明の原理と同一であるため、以下では簡略に説明する。
【０１８７】
図１５ないし図１８は、それぞれマルチ２Ｄモードで本発明の別の実施形態に係る第１ないし第４映像フレームのディスプレイ動作によるメガネ装置の動作を示す図である。
【０１８８】
図１５において、第１映像フレームでディスプレイ装置１００のパターンリターダ部１３０の第１領域１３１を介して左円偏光されたチャネル１奇数映像（ａ）が出力され、第２領域１３２を介して右円偏光されたブラック映像（ｂ）が出力されている。全映像は、最初に同一の水平方向光軸を有する線形偏光が行われたものと仮定する。なお、液晶セルは、電圧がＯＮになっている際、光軸をそのまま通過させ、電圧がＯＦＦになると、光軸を９０度回転（位相１／２波長遅延）させると仮定する。勿論、実施形態によっては、その反対に動作することもできる。この場合、ビューア１のメガネ装置２００−１の左眼シャッタグラス部の後面偏光子２５３−１及び右眼シャッタグラス部の後面偏光子２６３−１は、垂直方向の偏光成分を有する光を遮断すると仮定する。それも、実施形態によって、その反対になる場合もあってよく、互いに異なる方向の光を遮断する場合も可能であってよい。
【０１８９】
このとき、ビューア１のメガネ装置２００−１の左眼シャッタグラスのリターダ２５１−１は、前記パターンリターダ部１３０の第１領域１３１と反対方向の位相遅延性質を有する。すなわち、同一の線形偏光された映像に対して反対方向に１／４波長位相差を発生させる。前記左眼シャッタグラスのリターダ２５１−１を通過したチャネル１奇数映像（ａ）は、再び線形偏光に復帰するようになる。一方、左眼シャッタグラスのリターダ２５１−１は、パターンリターダ部１３０の第２領域１３２と同一の方向に１／４波長位相差を発生させるため、前記左眼シャッタグラスのリターダ２５１−１を通過したブラック映像（ｂ）は、更に１／４波長遅延されて光軸が９０度回転されるため、垂直方向の線形偏光に変わる。
【０１９０】
ビューア１のメガネ装置２００−１の左眼シャッタグラスの液晶セル２５２−１は、ＯＮ状態であるため、水平偏光されたチャネル１奇数映像（ａ）と垂直偏光されたブラック映像（ｂ）をそのまま透過させる。そして、後面偏光子２５３−１は、垂直方向の偏光成分を有する光を遮断するため、左眼には最終的にチャネル１奇数映像（ａ）のみが到達するようになる。
【０１９１】
ビューア１のメガネ装置２００−１の右眼シャッタグラスのリターダ２６１−１は、前記パターンリターダ部１３０の第２領域１３２と反対方向の位相遅延性質を有する。すなわち、同一の線形偏光された映像に対して反対方向に１／４波長位相差を発生させる。よって、前記右眼シャッタグラスのリターダ２６１−１を通過したブラック映像（ｂ）は、再び線形偏光に復帰するようになる。一方、右眼シャッタグラスのリターダ２６１−１は、パターンリターダ部１３０の第１領域１３１と同一の方向に１／４波長位相差を発生させるため、前記右眼シャッタグラスのリターダ２６１−１を通過したチャネル１奇数映像（ａ）は、更に１／４波長遅延されて光軸が９０度回転されるため、垂直方向の線形偏光に変わる。
【０１９２】
ビューア１のメガネ装置２００−１の右眼シャッタグラスの液晶セル２６２−１は、ＯＦＦ状態であるため、水平偏光されたブラック映像（ｂ）と垂直偏光されたチャネル１奇数映像（ａ）を位相遅延させる。そして、後面偏光子２６３−１は、水平方向の偏光成分を有する光を遮断するため、右眼には最終的にチャネル１奇数映像（ａ）のみが到達するようになる。
【０１９３】
よって、メガネ装置２００−１を着用したビューア１は、左右眼を通じてチャネル１奇数映像（ａ）のみを視聴し、ブラック映像（ｂ）は視聴しなくなる。
【０１９４】
ビューア２のメガネ装置２００−２も、ビューア１のメガネ装置２００−１と類似するように動作する。メガネ装置２００−２を着用したビューア２は、左眼と、右眼とを通じてブラック映像（ｂ）のみを視聴する。
【０１９５】
図１６は、第２映像フレームの場合のディスプレイ動作によるメガネ装置の動作を示す。図１６の場合、第１領域はブラック映像（ａ）がディスプレイされ、第２領域はチャネル１偶数映像（ｂ）がディスプレイされる。図１８と類似するように動作し、メガネ装置２００−１を着用したビューア１は、左右眼を通じてチャネル１偶数領域（ｂ）のみを視聴し、メガネ装置２００−２を着用したビューア２は、左右眼を通じてブラック映像のみを視聴する。ここで、チャネル１偶数映像と奇数映像とは同一の映像である。２つの連続した映像フレームを通じて同一のユーザが同一の映像を視聴するようになり、特に、映像のディスプレイ領域が互いに異なるため、ユーザが実際に感じる解像度の低減は大きくない。すなわち、後述のディスプレイ装置１００の奇数ラインまたは偶数ラインを通じてのみ映像データをディスプレイする場合と比較し、解像度のメリットがある。
【０１９６】
図１７及び図１８の場合も、上記の説明の原理と同様に動作する。
【０１９７】
図１７において、第３映像フレームは、第１領域はチャネル２奇数映像（ａ）がディスプレイされ、第２領域はブラック映像（ｂ）がディスプレイされる。このとき、ビューア１のメガネ装置２００−１の左右眼はブラック映像（ｂ）を視聴し、ビューア２のメガネ装置２００−２の左右眼シャッタグラスはチャネル２奇数映像（ａ）を透過させる。
【０１９８】
図１８において、第４映像フレームは、第１領域はブラック映像（ａ）がディスプレイされ、第２領域はチャネル２偶数映像（ｂ）がディスプレイされる。このとき、ビューア１のメガネ装置２００−１の左右眼シャッタグラスはブラック映像（ａ）を通過させ、ビューア２のメガネ装置２００−２の左右眼シャッタグラスはチャネル２偶数映像（ａ）を透過させる。
【０１９９】
ただ、前記図面の実施形態は、本発明の一実施形態に過ぎず、それと異なるように電圧が駆動されることもできる。例えば、後面偏光子２５３、２６３の偏光方向が異なったり、リターダ２５１、２６１の位相遅延性質が異なる場合、液晶セル２５２、２６２の駆動方式も変わるべきである。
【０２００】
前記のようなメガネ装置２００の動作は、ディスプレイ装置１００のディスプレイ方式に関連する。これまで説明した実施形態において、映像データはディスプレイパネルのＯｄｄ  ｌｉｎｅとＥｖｅｎ  ｌｉｎｅに交互に出力されていた。
【０２０１】
図１９は、映像データがパターンリターダのＯｄｄ／Ｅｖｅｎラインで交互に変化する場合のメガネ装置の動作を説明する図である。
【０２０２】
上述のような実施形態を参照して説明したように、ディスプレイ装置１００のＯｄｄ／Ｅｖｅｎラインで交互に映像データをディスプレイする場合、図１９のようにメガネ装置２００が動作する。この場合、フレームレートが高くなっても、同一の映像に関して、互いに異なるラインで交互に映像がディスプレイされ、ユーザが感じる解像度低減は大きくなくなる。しかし、それと異なるように、ディスプレイ装置１００は、Ｏｄｄ  ｌｉｎｅのみで映像を変化して出力し、Ｅｖｅｎ  ｌｉｎｅからはブラック映像のみを出力することができる。
【０２０３】
図２０は、映像データがパターンリターダのＯｄｄラインにのみ変化する場合のメガネ装置の動作を説明する図である。
【０２０４】
図２０のように、ディスプレイ装置１００はＯｄｄ  ｌｉｎｅのみで映像を変化して出力し、Ｅｖｅｎ  ｌｉｎｅからはブラック映像のみを出力したり、Ｅｖｅｎ  ｌｉｎｅのみで映像を変化して出力し、Ｏｄｄ  ｌｉｎｅからはブラック映像のみを出力することができる。この場合、ディスプレイ装置１００は、一部のパネル領域に映像をディスプレイする必要がないため、低電力損失のメリットがある。
【０２０５】
一方、ディスプレイ装置１００のディスプレイタイミングとメガネ装置２００の液晶セル駆動の同期化が必要であるため、ディスプレイ装置１００はメガネ装置２００に同期化情報を伝送しなければならない。
【０２０６】
本発明の一実施形態で上述したディスプレイ装置１００の通信部１４０は、ブルートゥースモジュールを含んでよく、ブルートゥースモジュールを通じて同期化信号生成部１７０が生成した同期化信号をメガネ装置２００に伝送することができる。
【０２０７】
ブルートゥース通信技術は、ＩＳＭ（Ｉｎｄｕｓｔｒｉａｌ  Ｓｃｉｅｎｔｉｆｉｃ  ａｎｄ  Ｍｅｄｉｃａｌ）  ２４００ＭＨｚ以後２ＭＨｚ、２４８３．５ＭＨｚ以前３．５ＭＨｚまでの範囲を除く２４０２〜２４８０ＭＨｚ、計７９のチャネルを用いてデータパケットの形態でデータストリームを伝送する近距離無線通信方式のことをいう。
【０２０８】
図２１は、ブルートゥース技術を用いて、メガネ装置２００に同期化信号を伝送する方法を示す図である。
【０２０９】
図２１を参照すると、ブルートゥース通信技術を用いる場合、まずメガネ装置（ＧＡ）２００は、同期化するディスプレイするディスプレイ装置を検索する。そして、検索結果に応じて、同期化を行うディスプレイ装置１００を確認する。
【０２１０】
ディスプレイ装置１００を確認する過程は、次のように行われる。メガネ装置２００は、インクワイアリー（ｉｎｑｕｉｒｙ）メッセージをディスプレイ装置１００に伝送する。ディスプレイ装置１００は、メガネ装置２００からインクワイアリーメッセージを受信してリスン（ｌｉｓｔｅｎ）する。
【０２１１】
ディスプレイ装置１００は、パスロス閾値（ｐａｔｈ  ｌｏｓｓ  ｔｈｒｅｓｈｏｌｄ）を含むＥＩＲパケット（Ｅｘｔｅｎｄｅｄ  Ｉｎｑｕｉｒｙ  Ｒｅｓｐｏｎｓｅ  Ｐａｃｋｅｔ）を伝送する。このとき、前記ＥＩＲパケットは、ブルートゥース資格ボディテストのためのテストモード（Ｔｅｓｔ  Ｍｏｄｅ  ｆｏｒ  Ｂｌｕｅｔｏｏｔｈ（登録商標）  Ｑｕａｌｉｆｉｃａｔｉｏｎ  Ｂｏｄｙ  Ｔｅｓｔ）、パスロス閾値等の情報を含む。
【０２１２】
そして、メガネ装置２００は、パスロス値（ｐａｔｈ  ｌｏｓｓ）に応じてディスプレイ装置２００との連合を要求する連合通知パケット（ａｓｓｏｃｉａｔｉｏｎ  ｎｏｔｉｆｉｃａｔｉｏｎ  ｐａｃｋｅｔ）をディスプレイ装置１００に伝送する。このとき、メガネ装置２００は、パスロス値がパスロス閾値より小さい場合にのみ、連合通知パケットを伝送することができる。
【０２１３】
ディスプレイ装置１００がメガネ装置２００からパスロス値（ｐａｔｈ  ｌｏｓｓ）を基に連合を要求する連合通知パケット（ａｓｓｏｃｉａｔｉｏｎ  ｎｏｔｉｆｉｃａｔｉｏｎ  ｐａｃｋｅｔ）を受信すると、連合通知パケットに対応し、ベースバンドアック（ｂａｓｅｂａｎｄ  ＡＣＫ）を前記メガネ装置２００に伝送する。それにより、連合が完了する。
【０２１４】
その後、ディスプレイ装置１００は、メガネ装置２００の制御信号を含むビーコンパケットの伝送タイミング情報をメガネ装置２００に伝送する。このような過程は、ビーコンパケットの伝送タイミング情報を含むリコネクトトレインパケット（ｒｅｃｏｎｎｅｃｔ  ｔｒａｉｎ  ｐａｃｋｅｔ）を前記メガネ装置２００に伝送し、メガネ装置２００が予め設定された時間内に、前記リコネクトトレインパケットを発見できない場合、メガネ装置２００からページパケット（ｐａｇｅ  ｐａｃｋｅｔ）を受信する過程からなる。リコネクトトレインパケットは、周波数ホッピング（ｈｏｐｐｉｎｇ）なしに行われる。
【０２１５】
このとき、ビーコンパケットは、フレームシンクのライジングエッジにおけるブルートゥースクロック（ＢＴ  ｃｌｏｃｋ  ａｔ  ｒｉｓｉｎｇ  ｅｄｇｅ  ｏｆ  Ｆｒａｍｅ  Ｓｙｎｃ）以外に左側シャッタオープンオフセットまたはデュアルビューモードのビデオストリーム１（Ｌｅｆｔ  ｓｈｕｔｔｅｒ  ｏｐｅｎ  ｏｆｆｓｅｔ  （ｏｒ）  Ｖｉｄｅｏ  Ｓｔｒｅａｍ  １  ｉｎ  Ｄｕａｌ−Ｖｉｅｗ  Ｍｏｄｅ）、左側シャッタクロスオフセットまたはデュアルビューモードのビデオストリーム１（Ｌｅｆｔ  ｓｈｕｔｔｅｒ  ｃｌｏｓｅ  ｏｆｆｓｅｔ  （ｏｒ）  Ｖｉｄｅｏ  Ｓｔｒｅａｍ  １  ｉｎ  Ｄｕａｌ−Ｖｉｅｗ  Ｍｏｄｅ）、右側シャッタオープンオフセットまたはデュアルビューモードのビデオストリーム２（Ｒｉｇｈｔ  ｓｈｕｔｔｅｒ  ｏｐｅｎ  ｏｆｆｓｅｔ  （ｏｒ）  Ｖｉｄｅｏ  Ｓｔｒｅａｍ  ２  ｉｎ  Ｄｕａｌ−Ｖｉｅｗ  Ｍｏｄｅ）、右側シャッタクロスオフセットまたはデュアルビューモードのビデオストリーム２（Ｒｉｇｈｔ  ｓｈｕｔｔｅｒ  ｃｌｏｓｅ  ｏｆｆｓｅｔ  （ｏｒ）  Ｖｉｄｅｏ  Ｓｔｒｅａｍ  ２  ｉｎ  Ｄｕａｌ−Ｖｉｅｗ Ｍｏｄｅ）及びフレームシンク期間（定数／分数）（Ｆｒａｍｅ  Ｓｙｎｃ  Ｐｅｒｉｏｄ（Ｉｎｔｅｇｅｒ）／Ｆｒａｍｅ  Ｓｙｎｃ  Ｐｅｒｉｏｄ（Ｆｒａｃｔｉｏｎ））等を含む。
【０２１６】
その後、ディスプレイ装置１００は、前記伝送タイミング情報に応じて、ビーコンパケットを前記メガネ装置２００に伝送する。メガネ装置２００は、受信されたビーコンパケットを参照して自分に対応するコンテンツのイメージフレームのディスプレイタイミングに応じて、シャッタグラスをオンまたはオフさせることができる。
【０２１７】
上述の実施形態においては、ディスプレイ装置１００とメガネ装置２００とがブルートゥース通信方式によって通信を行うものとして説明したが、本発明はその他の近距離通信技術、すなわち、赤外線通信、Ｚｉｇｂｅｅ（登録商標）、エヌエフシー（ＮＦＣ）等を含む多様な近距離通信方式を用いて通信チャネルを形成して行うことができる。
【０２１８】
例えば、ディスプレイ装置１００は、異なる周波数を有するＩＲ（Ｉｎｆｒａ  Ｒｅｄ）同期化信号をメガネ装置２００に提供することができる。この場合、メガネ装置２００は、特定周波数を有する同期化信号を受信し、対応するコンテンツのディスプレイタイミングに応じてシャッタグラスをオンまたはオフさせることができる。
【０２１９】
この場合、通信部１４０は、同期化信号に基づいて予め設定された時間間隔で第１周期の間のハイレベル（Ｈｉｇｈ  ｌｅｖｅｌ）と第２周期の間のローレベル（ｌｏｗ  ｌｅｖｅｌ）とが交互に繰り返される赤外線信号をメガネ装置２００に伝送することができる。メガネ装置２００は、ハイレベルである第１周期の間にシャッタグラスをオンさせ、ローレベルである第２周期の間にシャッタグラスをオフさせるように実現することができる。その他にも、同期化信号は多様な方式で生成されてよい。
【０２２０】
一方、上述の同期化信号の他にも、オーディオ信号も同一の技術手段によってメガネ装置２００に伝送されてよい。すなわち、マルチ２Ｄ、マルチ３Ｄモードの場合、各コンテンツのオーディオ信号も前記方法でメガネ装置２００に伝送可能である。
【０２２１】
上述の実施形態では、マルチ２Ｄ映像の場合、フレームレートが変化することなくディスプレイする方法について説明したが、ブラック映像を用いてマルチ２Ｄ映像のディスプレイも可能である。以下では、このような実施形態について簡単に説明する。
【０２２２】
一方、メガネ装置２００の動作を制御するために、ユーザ制御命令の入力が必要である。以下では、このような場合の実施形態について説明する。
【０２２３】
図２２は、本発明の一実施形態に係るメガネ装置２００の外観構成を示す図である。
【０２２４】
図２２を参照すると、本発明の一実施形態に係るメガネ装置２００は、ユーザ入力を受信する入力部２７０を更に含む。
【０２２５】
ユーザは、メガネ装置２００の入力部２７０を操作してディスプレイモードを入力する。すなわち、入力部２７０を操作してシングル２Ｄモード、マルチ２Ｄモード、シングル３Ｄモード、マルチ３Ｄモードのうち、いずれか一つに設定することができる。前記入力部２７０を介して入力されたディスプレイモード設定信号は、メガネ装置２００の通信部（図示せず）を介してディスプレイ装置１００に伝送される。
【０２２６】
このとき、制御部２２０は、ディスプレイ装置１００がディスプレイモードを識別し、前記識別されたディスプレイモードに応じて、前記同期化信号及び前記オーディオ信号のうち少なくとも一方を伝送すると、通信部（図示せず）を介してそれを受信し、前記第１シャッタグラス部及び前記第２シャッタグラス部のうち少なくとも一方に対する電源供給を制御することができる。
【０２２７】
入力部２７０は、スイッチ、ボタン、タッチパッド及びトグルボタンのうち、いずれか一方で実現されてよい。図２２は、スイッチを含むメガネ装置２００を示している。図２２のように、２つのスイッチ２７０を具備する場合、一つのスイッチを通じて３Ｄ／２Ｄを決定し、別のスイッチを通じてマルチビュー／シングルビューを決定することができる。
【０２２８】
＜ディスプレイ方法及びメガネ装置動作方法＞
以下では、本発明の多様な実施形態に係るディスプレイ方法について説明する。
【０２２９】
図２３は、本発明の多様な実施形態に係るディスプレイ方法のフローチャートである。
【０２３０】
図２３を参照すると、本発明の一実施形態に係るディスプレイ方法は、ディスプレイモードに応じて映像フレームを構成するステップ（Ｓ２３１０）と、前記構成された映像フレームを出力するステップ（Ｓ２３２０）と、前記出力された映像フレームを領域別に異なるように偏光させるステップ（Ｓ２３３０）及びディスプレイモードに応じて前記偏光された映像フレームを視聴できるアクティブメガネに同期化信号及びオーディオ信号のうち、少なくとも一方を伝送するステップ（Ｓ２３４０）を含む。
【０２３１】
前記ディスプレイモードは、一つの２Ｄコンテンツをディスプレイする２Ｄシングルビューモード、複数の２Ｄコンテンツをディスプレイする２Ｄマルチビューモード、一つの３Ｄコンテンツをディスプレイする３Ｄシングルビューモード及び複数の３Ｄコンテンツをディスプレイする３Ｄマルチビューモードのうち、いずれか一つのディスプレイ方法である。
【０２３２】
前記偏光ステップは、前記出力された映像フレームの第１領域は左円偏光させ、第２領域は右円偏光させてよい。
【０２３３】
なお、前記ディスプレイモードが前記２Ｄマルチビューモードである場合、前記映像フレームの第１領域は第１の２Ｄコンテンツ映像を示し、第２領域は第２の２Ｄコンテンツ映像を示すように構成され、前記伝送ステップは、前記メガネ装置に前記メガネ装置に対応するオーディオ信号を伝送することができる。
【０２３４】
なお、前記ディスプレイモードが前記３Ｄシングルビューモードである場合、前記映像フレームの第１領域は前記３Ｄコンテンツの左眼映像を示し、第２領域は前記３Ｄコンテンツの右眼映像を示すように前記映像フレームが構成されてよい。
【０２３５】
なお、前記ディスプレイモードが前記３Ｄマルチビューモードである場合、前記映像フレームは、第１領域が第１の３Ｄコンテンツの左眼映像を示し、第２領域はブラック映像を示す第１映像フレームと、前記第１領域がブラック映像を示し、前記第２領域は第１の３Ｄコンテンツの右眼映像を示す第２映像フレームと、前記第１領域が第２の３Ｄコンテンツの左眼映像を示し、前記第２領域はブラック映像を示す第３映像フレームと、前記第１領域がブラック映像を示し、前記第２領域は第２の３Ｄコンテンツの右眼映像を示す第４映像フレームを含むように構成され、前記出力ステップは、前記第１映像フレーム、前記第２映像フレーム、前記第３映像フレーム及び前記第４映像フレームを順次に出力することができる。
【０２３６】
なお、前記ディスプレイモードが前記３Ｄマルチビューモードである場合、前記同期化信号を伝送するステップは、前記メガネ装置から受信されたメッセージに基づいてビーコンパケットの伝送タイミング情報を前記メガネ装置に伝送するステップと、前記伝送タイミング情報に応じて、前記ビーコンパケットを前記メガネ装置に伝送するステップとを含んでよい。
【０２３７】
各ステップについては既に説明しているため、ここでは繰り返し説明は省略する。
【０２３８】
図２４は、本発明の多様な実施形態に係るメガネ装置の動作方法のフローチャートである。
【０２３９】
図２４を参照すると、本発明の多様な実施形態に係るメガネ装置の動作方法は、パターンリターダディスプレイ装置から出力された第１映像及び第２映像をそれぞれ異なる方向に光軸を回転させるステップ（Ｓ２４１０）と、第１シャッタグラス及び第２シャッタグラスに電源を選択的に印加し、前記光軸が回転された第１映像及び第２映像の偏光特性をそれぞれ変化させるステップ（Ｓ２４２０）とを含む。各ステップについては既に説明しているため、ここでは繰り返し説明は省略する。
【０２４０】
＜記録媒体＞
上述のディスプレイ装置、メガネ装置、ディスプレイ方法、メガネ装置動作方法は、コンピュータで実行可能なアルゴリズムを含むプログラムで実現され、前記プログラムは非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）に保存されて提供されてよい。
【０２４１】
非一時的な読み取り可能な媒体とは、レジスタやキャッシュ、メモリ等のように短い間だけデータを保存する媒体ではなく、半永久的にデータを保存し、機器によって読み取り（ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０２４２】
上述のように、本発明はレンズを取り替えることなく、メガネ装置の動作制御を通じて３Ｄ映像とマルチビュー映像との両方が視聴することができるようになる。
【０２４３】
なお、本発明は、マルチビューの場合、各コンテンツのサウンドをメガネ装置に伝送し、メガネ装置で各コンテンツのサウンドを聴取することができるようになる。
【０２４４】
更に、パターンリターダ方式にメガネ装置を通じて、複数の互いに異なる３Ｄコンテンツを複数のユーザが視聴することができるようになる。
【０２４５】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０２４６】
１１０  信号処理部
１２０  ディスプレイ部
１３０  パターンリターダ部
１５０  制御部
１４０  通信部
１６０  受信部
１１０  信号処理部
１２０  ディスプレイ部
１３０  パターンリターダ部
１５０  制御部
１８０  オーディオ出力部
１７０  同期化信号生成部
１４０  通信部
２５１  第１リターダ
２６１  第２リターダ
２５０  第１シャッタグラス
２６０  第２シャッタグラス
２３０  電源供給部
２２０  制御部
２３０  電源供給部
２２０  制御部
【図１】
2014135725.tif 000003
【図２】
2014135725.tif 000004
【図３】
2014135725.tif 000005
【図４】
2014135725.tif 000006
【図５】
2014135725.tif 000007
【図６】
2014135725.tif 000008
【図７】
2014135725.tif 000009
【図８】
2014135725.tif 000010
【図９】
2014135725.tif 000011
【図１０】
2014135725.tif 000012
【図１１】
2014135725.tif 000013
【図１２】
2014135725.tif 000014
【図１３】
2014135725.tif 000015
【図１４】
2014135725.tif 000016
【図１５】
2014135725.tif 000017
【図１６】
2014135725.tif 000018
【図１７】
2014135725.tif 000019
【図１８】
2014135725.tif 000020
【図１９】
2014135725.tif 000021
【図２０】
2014135725.tif 000022
【図２１】
2014135725.tif 000023
【図２２】
2014135725.tif 000024
【図２３】
2014135725.tif 000025
【図２４】
2014135725.tif 000026